(57)【要約】【課題】全体的にまとまりのない緯糸や、扁平糸などの特殊な緯糸を、緯糸にダメージを与えることなく確実に緯糸保持部に案内し、かつ保持することができるインサートレピアを提供することである。【解決手段】  緯糸保持部３をレピアヘッド２の底部５に配置し、緯糸保持部３よりも先端側にレピアヘッド２の底部５の両側より上方に延びる（経糸側の）後壁７および（織布側の）前壁５を形成し、経糸かき分け機能を有しつつ経糸に対して所定角度で交差するように架けわたされる緯糸を緯糸保持部３に案内可能なインサートレピア１において、その先端８ｄがレピアヘッド２の後壁７の高さよりも低く設けられ、先端８ｄから基端側に進むにつれて上稜部８ｂが徐々に上昇する舌片部８を、緯糸保持部３と後壁７との間であって緯糸保持部３よりもレピアヘッド２の先端側に配置する。さらに舌片部８を、レピアヘッド２の上側あるいは基端側のいずれかに移動可能に設ける。【選択図】図３
2010189781.tif 000002
【特許請求の範囲】
【請求項１】
両側レピア織機に用いられ、キャリアレピアに緯糸（２０）を受け渡すインサートレピア（１）であって、
インサートレピア（１）は、レピアヘッド（２）と、レピアヘッド（２）の底部（５）に設けられる緯糸保持部（３，３３，４３，５３，６３，７３）とを備え、
レピアヘッド（２）には、前記緯糸保持部（３，３３，４３，５３，６３，７３）よりもレピアヘッド（２）の先端側に、レピアヘッド（２）の底部（５）の両側より上方に突出する山型の後壁（７）および前壁（６）が設けられており、
また、レピアヘッド（２）には、前記後壁（７）および前記前壁（６）よりも緯糸保持部（３，３３，４３，５３，６３，７３）側から前記後壁（７）と前記前壁（６）との間の領域へ向かって延在する舌片部（８，３８，４８，５８，６８，７８）が設けられており、レピアヘッド（２）の側方より見て、前記前壁（６）および前記後壁（７）は互いに一部が重複するように設けられるとともに、
前記舌片部の先端部分（８ａ，３８ａ，４８ａ，５８ａ，６８ａ，７８ａ）は、その頂部（８ｄ，３８ｄ，４８ｄ，５８ｄ，６８ｄ，７８ｄ）が前記重複する領域に位置しており、かつ前記舌片部（８，３８，４８，５８，６８，７８）の先端部分の上稜部（８ｂ，３８ｂ，４８ｂ，５８ｂ，６８ｂ，７８ｂ）は、前記舌片部の頂部（８ｄ，３８ｄ，４８ｄ，５８ｄ，６８ｄ，７８ｄ）から前記舌片部（８，３８，４８，５８，６８，７８）の基端側に進むにつれて高さ方向に徐々に上昇するように形成されて、前記前壁（６）と前記後壁（７）と前記舌片部（８，３８，４８，５８，６８，７８）とにより経糸かき分け部を構成するインサートレピア（１）において、
インサートレピア（１）は、レピアヘッド（２）の側方より見て、前記舌片部（８，３８，４８，５８，６８，７８）が、待機位置（Ｐ１）からレピアヘッド（２）の上方ないし基端方向のいずれかの退避位置（Ｐ２）へ移動可能に設けられるとともに、緯糸（２０）が前記舌片部の頂部（８ｄ，３８ｄ，４８ｄ，５８ｄ，６８ｄ，７８ｄ）を通過する前に、前記舌片部（８，３８，４８，５８，６８，７８）が前記退避位置（Ｐ２）へ移動されることを特徴とするインサートレピア（１）。
【請求項２】
前記舌片部（８，３８，５８）は、上下方向に回動可能なレバー（１３，３５，３７，３９）の先端に設けられることを特徴とする請求項１記載のインサートレピア（１）。
【請求項３】
前記緯糸保持部（３，５３）は、
レピアヘッド（２）の底部（５）に設けられるキャッチベース（３ａ）と、
前記キャッチベース（３ａ）のベース面（３ｈ）に対向する下向き面（３ｍ，５３ｍ）を有し、緯糸（２０）を前記ベース面（３ｈ）と前記下向き面（３ｍ，５３ｍ）との間で保持するキャッチ片（３ｂ，５３ｂ）とを備え、
前記キャッチ片（３ｂ，５３ｂ）は、上下方向に回動可能なレバー（１３，３７，３９）に設けられ、
前記舌片部（８，５８）は、前記キャッチ片（３ｂ，５３ｂ）の側部に設けられることを特徴とする請求項２記載のインサートレピア（１）。
【請求項４】
前記舌片部の先端部分（８ａ，５８ａ）は、前記舌片部の頂部（８ｄ，５８ｄ）から基端側に延在する下稜部（８ｃ，５８ｃ）を有し、前記舌片部の下稜部（８ｃ，５８ｃ）は、レピアヘッド（２）の側方より見て、前記キャッチ片の下稜部（３ｅ，５３ｅ）に連続するように設けられることを特徴とする請求項３記載のインサートレピア（１）。
【請求項５】
前記キャッチベース（３ａ）のベース面（３ｈ）と、前記キャッチ片（３ｂ，５３ｂ）の下向き面（３ｍ，５３ｍ）との間に進入方向に開口して緯糸（２０）を保持するくさび状の隙間（３ｃ，５３ｃ）を形成し、
前記舌片部（８，５８）の前記退避位置（Ｐ２）への移動によって前記キャッチ片（３ｂ，５３ｂ）の下向き面（３ｍ，５３ｍ）が前記キャッチベース（３ａ）のベース面（３ｈ）から離間することによりくさび状の隙間（３ｃ，５３ｃ）が拡がるように設けられるとともに、
前記くさび状の隙間（３ｃ，５３ｃ）における緯糸（２０）の保持位置を決定する緯糸ストッパ（９）を前記キャッチベース（３ａ）の側部に設け、前記くさび状の隙間（３ｃ，５３ｃ）に導入された緯糸（２０）が舌片部の頂部（８ｄ，５８ｄ）を通過した後、前記緯糸ストッパ（９）によって係止したときに、緯糸（２０）が前記キャッチ片（３ｂ，５３ｂ）の下向き面（３ｍ，５３ｍ）上に位置するように前記緯糸ストッパ（９）を設けたことを特徴とする請求項３または請求項４記載のインサートレピア（１）。
【請求項６】
前記緯糸ストッパ（９）を前記キャッチベース（３ａ）に対してレピアヘッド（２）の長手方向に相対的に位置調節可能に設けたことを特徴とする請求項５記載のインサートレピア（１）。
【請求項７】
前記レピアヘッド（２）の後壁（７）が設けられる側の側部には、レピアヘッド（２）の長手方向に延在するヘッドカバー（１０，４０，６０）が設けられており、
前記ヘッドカバー（１０，４０，６０）は、上壁部（１０ａ，４０ａ，６０ａ）と、上壁部（１０ａ，４０ａ，６０ａ）の両側から下方に突出する後側の側壁部（１０ｂ，４０ｂ，６０ｂ）ならびに前側の側壁部（１０ｃ，４０ｃ，６０ｃ）とを有し、
前記後側の側壁部（１０ｂ，４０ｂ，６０ｂ）にはキャリアレピアに緯糸（２０）を受け渡す際に緯糸（２０）の位置を規制する緯糸ガイド（１０ｆ，４０ｆ，６０ｆ）が形成されるとともに、
前記前側の側壁部（１０ｃ，４０ｃ，６０ｃ）には、レピアヘッド（２）の先端側に進むにつれて徐々に下降する上稜部（１０ｄ，４０ｄ，６０ｄ）およびこれに連なる頂部（１０ｅ，４０ｅ，６０ｅ）を有しており、前記舌片部（８，３８，４８，５８，６８，７８）が前記待機位置（Ｐ１）に位置する状態において、レピアヘッド（２）の側方より見て、前記舌片部（８，３８，４８，５８，６８，７８）の先端部分の上稜部（８ｂ，３８ｂ，４８ｂ，５８ｂ，６８ｂ，７８ｂ）は、前記ヘッドカバー（１０）の上稜部（１０ｄ，４０ｄ，６０ｄ）に連続するように設けられ、前記上壁部（１０ａ，４０ａ，６０ａ）と、前記前側の側壁部（１０ｃ，４０ｃ，６０ｃ）と、前記舌片部（８，３８，４８，５８，６８，７８）の先端部分の上稜部（８ｂ，３８ｂ，４８ｂ，５８ｂ，６８ｂ，７８ｂ）と、後壁の上稜部（７ｂ）とがレピアヘッド（２）の先端部（４）に連続していることを特徴とする請求項１から請求項６のうちいずれか１項に記載のインサートレピア（１）。
【請求項８】
前記舌片部（８，３８，５８）は、インサートレピア（２）の上方側より見て、前記ヘッドカバー（１０）と前記キャッチ片（３ｂ，３３ｂ，５３ｂ）との間に配置されるとともに、
前記舌片部（８，３８，５８）が前記退避位置（Ｐ２）へ移動した状態において、レピアヘッド（２）の側方より見て、舌片部の下稜部（８ｃ，３８ｃ，５８ｃ）は、後壁の上稜部（７ｂ）に対して離間し、舌片部の下稜部（８ｃ，３８ｃ，５８ｃ）と、前記後壁の上稜部（７ｂ）および前壁の上稜部（６ｂ）とによって、前記緯糸保持部（３，３３，５３）に通ずる緯糸通路（１１）を形成することを特徴とする請求項１から請求項７のうちいずれか１項に記載のインサートレピア（１）。
【請求項９】
前記レピアヘッド（２）の後壁（７）には、後壁の頂部（７ａ）よりレピアヘッド（２）の基端側に突出する凸部（７ｃ）を有し、前記凸部（７ｃ）の下向きの稜線が先端側から基端側に転向してレピアヘッド（２）の底部（５）に連続するように設けられていて、キャリアレピアへ緯糸（２０）を受け渡す際に緯糸（２０）に当接する凹状の緯糸当接部（７ｄ）が形成されており、
前記舌片部（８，３８，５８）が前記退避位置（Ｐ２）へ移動した状態において、レピアヘッド（２）の側方より見て、ヘッドカバー（１０）の下稜部（１０ｇ）および舌片部の下稜部（８ｃ，３８ｃ，５８ｃ）は、前記後壁（７）の凸部（７ｃ）と重複しないように設けられていて、前記ヘッドカバーの下稜部（１０ｇ）と、前記舌片部の下稜部（８ｃ，３８ｃ，５８ｃ）と、前記後壁の凸部（７ｃ）と、前記前壁（７）の上稜部（６ｂ）とによって、緯糸保持部（３，３３，５３）に通ずる緯糸通路（１１）が形成されることを特徴とする請求項１から請求項８のうちいずれか１項に記載のインサートレピア（１）。
【請求項１０】
前記舌片部（８，３８，４８，５８，６８，７８）が前記待機位置（Ｐ１）にあるとき、前記舌片部の頂部（８ｄ，３８ｄ，４８ｄ，５８ｄ，６８ｄ，７８ｄ）は、経糸方向に対し所定角度で延在する緯糸（２０）がインサートレピア（１）の走行に伴って前記後壁（７）の上稜部（７ｂ）および前壁（６）の上稜部（６ｂ）に接触しながら相対移動するときの前記緯糸（２０）の位置よりも高い位置に設けられることを特徴とする請求項１に記載のインサートレピア（１）。
【請求項１１】
前記舌片部（８，３８）が設けられるレバー（１３，３５）の端部に、レピアヘッド（２）の上部に突出する受圧部（１２，３６）を設け、前記レバー（１３，３５）は、付勢手段（１４）により前記舌片部の先端部分（８ａ，３８ａ）を待機位置（Ｐ１）に戻す方向に付勢されており、
前記インサートレピア（１）は、レピアヘッド（２）の走行経路上にオープナカム（１７）を前記受圧部（１２，３６）に当接可能に配置するレピア織機に用いられるインサートレピア（１）であって、
緯糸（２０）が前記舌片部の頂部（８ｄ，３８ｄ）を通過する前に、舌片部（８，３８）は、前記受圧部（１２，３６）が前記配置されたオープナカム（１７）に当接することによって前記退避位置（Ｐ２）へ移動されることを特徴とする請求項２から請求項１０のうちいずれか１項に記載のインサートレピア（１）。
【請求項１２】
前記レピアヘッド（２）には、変位可能な受圧部材（１５）および前記受圧部材（１５）の変位に連動して舌片部（８）を移動させる運動伝達部（１６）が設けられるとともに、前記舌片部（８）は、付勢手段（１４ｂ）を介して前記舌片部の先端部分（８ａ）を待機位置（Ｐ１）に戻す方向に付勢されており、
前記インサートレピア（１）は、レピアヘッド（２）の走行経路上にオープナカム（１７）を前記受圧部材（１５）に当接可能に配置するレピア織機に用いられるインサートレピア（１）であって、
緯糸（２０）が前記舌片部の頂部（８ｄ）を通過する前に、前記受圧部材（１５）が前記配置されたオープナカム（１７）に当接することによって変位し、前記受圧部材（１５）は、前記運動伝達部（１６）を介して前記舌片部（８）を前記退避位置（Ｐ２）へ移動させることを特徴とする請求項２から請求項１０のうちいずれか１項に記載のインサートレピア（１）。
【請求項１３】
前記舌片部（４８）は、長手方向に延在しかつ長手方向の移動を許容するように支持されるスライドレバー（４９）の先端に設けられることを特徴とする請求項１記載のインサートレピア（１）。
【請求項１４】
前記レピアヘッド（２）には、変位可能な受圧部材（４１）および前記受圧部材（４１）の変位に連動する運動伝達部（４６）が設けられるとともに、前記舌片部（４８）は、付勢手段（４２）を介して前記舌片部の先端部分（４８ａ）を待機位置（Ｐ１）に戻す方向に付勢されており、
前記インサートレピア（１）は、レピアヘッド（２）の走行経路上にオープナカム（１７）を前記受圧部材（４１）に当接可能に配置するレピア織機に用いられるインサートレピア（１）であって、
緯糸（２０）が前記頂部（４８ｄ）を通過する前に、前記受圧部材（４１）が前記配置されたオープナカム（１７）に当接することによって変位し、前記受圧部材（４１）は、前記運動伝達部（４６）を介して前記舌片部（４８）を前記退避位置（Ｐ２）へ移動させることを特徴とする請求項１３に記載のインサートレピア（１）。
【発明の詳細な説明】
【技術分野】
【０００１】
本発明は、両側レピア織機に用いられるインサートレピアに関する。
【背景技術】
【０００２】
一般に、両側レピア織機の緯入れは、給糸側に設けられるインサートレピアと、反給糸側に設けられるキャリアレピアとによって行われる。給糸体に連なる緯糸は、インサートレピアによってその先端を保持されて経糸開口内を織幅の中央まで搬送され、その位置において、反緯入方向から開口に挿入されたキャリアレピアに受け渡され、キャリアレピアによって反緯入れ側まで搬送される。
【０００３】
インサートレピアの構成として、インサートレピアとキャリアレピアとの相対的な移動によって緯糸が自然に受け渡されるように構成されるものがある（例えば、特許文献１）。インサートレピアでは、安定した緯入れのために、緯糸を保持する機能と、経糸開口内を走行時に誤って経糸（特に、開口不良の経糸）を保持することのないように経糸をかき分ける機能とが要求される。
【０００４】
図１６は、両側レピア織機で用いられる、従来のインサートレピアの一例を示している。ここで本明細書では、インサートレピアについて、経糸開口内に最初に進入する側を先端側（緯入れ側）とし、逆に経糸開口内から最初に退避する側を基端側（反緯入れ側）として捉えることとする。このインサートレピア８１では、緯糸２０を保持する緯糸保持部８３は、レピアヘッド８２の底部８５に配置されている。緯糸保持部８３は、上下に配置したキャッチベース８３ａおよびキャッチ片８３ｂとから構成されており、それらは対向面８３ｆ，８３ｅを互いに対向させている。キャッチベース８３ａ、キャッチ片８３ｂは、対向する対向面８３ｆ，８３ｅの隙間がインサートレピアの先端側から基端に進むにつれて縮小するように設けられていて、対向する対向面８３ｆ，８３ｅの間に緯糸保持可能なくさび状の隙間８３ｃを形成している。キャッチベース８３ａ、キャッチ片８３ｂのうち一方は、他方に弾性的に圧接されており、キャッチベース８３ａとキャッチ片８３ｂとの間に導かれる緯糸２０を隙間８３ｃに挟んで保持する。またキャリアレピアへの緯糸受渡し時には、緯糸２０が緯糸保持部８３の隙間８３ｃから引出されることを許容する。
【０００５】
また、経糸をかき分ける経糸かき分け部は、緯糸保持部８３よりもレピアヘッド８２の先端側（緯入方向側）に設けられている。具体的には、レピアヘッド８２の前壁８６および後壁８７と、ヘッドカバー８０の先端側の舌片部８８とにより上側の経糸かき分け部を構成し、またレピアヘッド８２の底部８５の下面によって下側の経糸かき分け部を構成する。前壁８６および後壁８７は、緯糸保持部８３が設けられる位置よりもレピアヘッドの先端側の領域で、レピアヘッド８２の底部８５の幅方向の両側より上方に突出して設けられ、かつインサートレピア８１の長手方向に延在する山型の形状を有している。前壁８６および後壁８７の稜線部には、頂部８６ａを有する上稜部８６ｂおよび頂部８７ａを有する上稜部８７ｂがそれぞれ形成されている。また、前壁８６の先端側半部は、レピアヘッドの側方（経糸方向）から見て後壁８７に対して重複するように設けられている。また、レピアヘッド８２の底部８５より先端側には、上下方向（肉厚方向）および前後方向に先細りに形成され、先端８４に収斂する上側案内部８４ａおよび下側案内部８４ｂが形成されており、上側案内部８４ａおよび下側案内部８４ｂは、底部８５の上面および下面にそれぞれ連続している。
【０００６】
また、レピアヘッド８２は、キャリアレピアに緯糸を受け渡すために、緯糸２０を張るヘッドカバー８０を備えており、ヘッドカバー８０と一体の舌片部８８は、緯入方向、すなわち緯糸が挿入される方向へ延在する頂部８８ｄを有している。この舌片部８８の頂部８８ｄは、レピアヘッド８２の側方より見て、後壁８７の頂部８７ａの高さよりも低く、かつレピアヘッド８２の上方より見て前壁８６と後壁８７との間の領域に位置している。舌片部８８は、緯糸保持部８３よりも先端側に進むにつれて次第に前方向に向きを変えつつ、その先端に位置する頂部８８ｄに向けて徐々に連続して下降するように設けられている。
【０００７】
図１７ないし図１９は、緯糸保持部８３に緯糸２０を保持させる際に、レピアヘッド８２が緯糸２０を導入する様子を示している。経糸方向に対して所定角度で交差するように架け渡された緯糸２０は（図１７）、インサートレピア８１の走行に伴って、最初に後壁８７の上稜部８７ｂに接し、次いで後壁８７の上稜部８７ｂに接しながら前壁８６の上稜部８６ｂに接し、その後前壁８６の上稜部８６ｂに接しながら後壁８７の上稜部８７ｂを離れる。そのように緯糸２０は、インサートレピア８１に対し基端方向へ相対的に移動していき、その過程で舌片部８８の頂部８８ｄへ到達する（図１８）。このとき、前壁８６と後壁８７との間に上方より見て斜めに架け渡された前記緯糸２０よりも舌片部８８の頂部８８ｄが上に位置するように前壁８６、後壁８７、舌片部８８の形状が定められている。したがって、緯糸２０は、後壁８７と舌片部８８との間の隙間８９に入り込み、インサートレピア８１の移動に伴って、前記隙間８９内を相対的に反緯入方向（基端側）へ移動して緯糸保持部８３に案内され、緯糸保持部８３の二つの部材（キャッチベース８３ａ、キャッチ片８３ｂ）間に食い込み、保持される（図１９）。
【０００８】
図２０ないし図２２は、緯入れ時にインサートレピア８１が開口不良の経糸２１をかき分ける様子を示している。開口を形成する経糸２１は、緯入方向（インサートレピア５１の進入方向）に対し直交している（図２０）。毛羽搦みによって開口が不完全な経糸２１が生じたとき、インサートレピア８１の走行経路上にある開口不良の経糸２１は、インサートレピア８１の移動に伴って、前壁８６および後壁８７のいずれか一方の上稜部８６ｂ、８７ｂに接しながら、インサートレピア８１に対し基端側に相対的に移動していき、やがて舌片部の頂部８８ｄへ到達する（図２１）。このとき、前壁８６と後壁８７との間に架け渡された前記経糸２１よりも舌片部８８の頂部８８ｄが下に位置するように前壁８６、後壁８７、舌片部８８の形状が定められている。このため、開口不良の経糸２１は、舌片部８８の上稜部８８ｂに接触し、インサートレピア８１の移動に伴って、舌片部８８の上稜部８８ｂおよびヘッドカバー８０の上稜部によって上方へはね上げられ、緯糸保持部８３に侵入することなくインサートレピア８１の上方を通過する（図２２）。
【０００９】
以上説明したインサートレピア８１は、緯糸２０の保持を弾性的に圧接された二つの部材（キャッチベース８３ａ、キャッチ片８３ｂ）間に緯糸２０を食い込ませることにより行い、また、緯糸２０をキャリアレピアに受け渡す時のインサートレピア８１からの緯糸２０の開放は、緯糸２０を受け渡されたキャリアレピアの相対的な後退により、二つの部材間（キャッチベース８３ａ、キャッチ片８３ｂ）から自然に引き出されることにより実現している。また、経糸２１をかき分け、緯糸２０のみを緯糸保持部８３に導入する機能は、糸の角度と、レピアヘッド８２に設けられた前壁８６、後壁８７、舌片部８８の位置関係によって実現している。このようにして、単純な構成で緯糸２０の保持および受け渡し（開放）を実現しつつ、経糸、特に開口が不完全な経糸２１を誤って緯糸保持部８３に保持しないようにしている。
【先行技術文献】
【特許文献】
【００１０】
【特許文献１】特開平０２−２６９８３５号公報
【特許文献２】特公昭４６−２０１１２号公報
【発明の概要】
【発明が解決しようとする課題】
【００１１】
しかし、前述したインサートレピア８１では、緯糸２０の保持を、弾性的に圧接された二つの部材（キャッチベース８３ａ、キャッチ片８３ｂ）間に食い込ませて行うので、例えば、多数のモノフィラメントからなるマルチフィラメント糸など全体的にまとまりのない（ばらけやすい）緯糸２０を保持する場合、緯糸全体が二つの部材の対向面８３ｅ，８３ｆによってつぶされ、緯糸２０を構成するフィラメントが平面的にばらけた状態でくさび状の隙間８３ｃに食い込むことになる。また、隙間の大きいところではフィラメントの保持力が低下する結果、フィラメントのうち保持が比較的に完全なフィラメントに屈曲ストレスが集中的に加わってフィラメント折れが発生したり、保持後のインサートレピア８１の走行中に緯糸２０が裂けるなどの問題が生じる。
【００１２】
また、前述したインサートレピア８１では、経糸２１が緯糸保持部８３に誤って進入しないようにするため、後壁８７と舌片部８８との間の隙間８９は極力狭く設けられる。この結果、全体的にまとまりのない緯糸２０、あるいは特殊な緯糸形状を有する緯糸（扁平糸などテープ状（幅広）の緯糸）では、緯糸全体が舌片部８８に引っ掛かって前記狭い隙間８９に入らないことがあり、緯糸保持部８３まで案内できずに緯糸２０のキャッチミスが発生し、織布の生産性を損なうという問題がある。
【００１３】
ところで、従来のインサートレピアには、緯糸保持部を積極的に開閉駆動するものも存在する（特許文献２）。かかるインサートレピアは、把持ヘッド（本願でいうレピアヘッド）の先端側に設けられるベース面と、これに対向する対向面を有しベース面を押圧する方向に付勢される把持レバー（本願でいうキャッチレバー）とを備えており、緯入れに先立ち、把持レバーを積極的に開閉駆動してベース面と対向面との間に把持させるものである。しかし、緯糸保持部（把持レバー）がインサートレピアの先端側に設けられるため、糊カスや風綿が緯糸保持部に滞留しやすく、把持ヘッドと把持レバーの噛み合わせが悪くなることもあり、万が一レピアヘッドの先端にある緯糸保持部がわずかでも開口したまま経糸開口内に進入することにでもなれば、毛羽搦みによって開口が不完全な経糸を引っ掛けて切断してしまうという問題もある。
【００１４】
そこで、本発明の課題は、後壁、前壁およびヘッドカバーによって緯糸のみを緯糸保持部に案内可能でかつキャリアレピアとの相対的な後退によって自然に緯糸を受渡し可能なインサートレピアを改良することにある。より詳しくは、多数のモノフィラメントからなるマルチフィラメント糸など全体的にまとまりのない（ばらけやすい）緯糸や、扁平糸などテープ状（幅広）の特殊な緯糸を、緯糸にダメージを与えることなく確実に緯糸保持部に案内し、かつ保持することができるようにしつつ、毛羽搦み等によって開口が不完全な経糸に対しても、正常な経糸をかき分ける場合と比較して何ら遜色のなく経糸をかき分けることのできるインサートレピアを提供することである。
【課題を解決するための手段】
【００１５】
上記課題を解決するために、両側レピア織機に用いられ、キャリアレピアに緯糸（２０）を受け渡すインサートレピア（１）を以下のように構成した。すなわち、インサートレピア（１）は、レピアヘッド（２）と、レピアヘッド（２）の底部（５）に設けられる緯糸保持部（３，３３，４３，５３，６３，７３）とを備え、レピアヘッド（２）には、前記緯糸保持部（３，３３，４３，５３，６３，７３）よりもレピアヘッド（２）の先端側に、レピアヘッド（２）の底部（５）の両側より上方に突出する山型の後壁（７）および前壁（６）が設けられており、また、レピアヘッド（２）には、前記後壁（７）および前記前壁（６）よりも緯糸保持部（３）側から前記後壁（７）と前記前壁（６）との間の領域へ向かって延在する舌片部（８，３８，４８，５８，６８，７８）が設けられており、レピアヘッド（２）の側方より見て、前記前壁（６）および前記後壁（７）は互いに一部が重複するように設けられている。前記舌片部の先端部分（８ａ，３８ａ，４８ａ，５８ａ，６８ａ，７８ａ）は、上記同様に側方より見て、その頂部（８ｄ，３８ｄ，４８ｄ，５８ｄ，６８ｄ，７８ｄ）が前記重複する領域に位置しており、かつ前記舌片部（８，３８，４８，５８，６８，７８）の先端部分の上稜部（８ｂ，３８ｂ，４８ｂ，５８ｂ，６８ｂ，７８ｂ）は、前記舌片部の頂部（８ｄ，３８ｄ，４８ｄ，５８ｄ，６８ｄ，７８ｄ）から前記舌片部（８，３８，４８，５８，６８，７８）の基端側に進むにつれて高さ方向に徐々に上昇するように形成されて、前記前壁（６）と前記後壁（７）と前記舌片部（８，３８，４８，５８，６８，７８）とにより経糸かき分け部を構成している。そして、レピアヘッド（２）の側方より見て、前記舌片部（８，３８，４８，５８，６８，７８）は、待機位置（Ｐ１）からレピアヘッド（２）の上方ないし基端方向のいずれかの退避位置（Ｐ２）へ移動可能に設けられるとともに、緯糸（２０）が前記舌片部の頂部（８ｄ，３８ｄ，４８ｄ，５８ｄ，６８ｄ，７８ｄ）を通過する前に、前記舌片部（８，３８，４８，５８，６８，７８）が前記退避位置（Ｐ２）へ移動される。
【００１６】
前記舌片部（８，３８，５８）を、上下方向に回動可能なレバー（１３，３５，３７，３９）の先端に設けてもよい。
【００１７】
前記緯糸保持部（３，５３）を、レピアヘッド（２）の底部（５）に設けられるキャッチベース（３ａ）と、前記キャッチベース（３ａ）のベース面（３ｈ）に対向する下向き面（３ｍ，５３ｍ）を有し緯糸（２０）を前記ベース面（３ｈ）と前記下向き面（３ｍ，５３ｍ）との間で保持するキャッチ片（３ｂ，５３ｂ）とを備えるようにし、前記キャッチ片（３ｂ，５３ｂ）を、上下方向に回動可能なレバー（１３，３７，３９）として構成し、前記舌片部（８，５８）を、前記キャッチ片（３ｂ，５３ｂ）の側部に設けてもよい。
【００１８】
前記舌片部の先端部分（８ａ，５８ａ）に、前記舌片部の頂部（８ｄ，５８ｄ）から基端側に延在する下稜部（８ｃ，５８ｃ）を形成し、前記舌片部の下稜部（８ｃ，５８ｃ）は、レピアヘッド（２）の側方より見て、前記キャッチ片の下稜部（３ｅ，５３ｅ）に連続するようにしてもよい。
【００１９】
前記キャッチベース（３ａ）のベース面（３ｈ）と、前記キャッチ片（３ｂ，５３ｂ）の下向き面（３ｍ，５３ｍ）との間に進入方向に開口して緯糸（２０）を保持するくさび状の隙間（３ｃ，５３ｃ）を形成し、前記舌片部（８，５８）の前記退避位置（Ｐ２）への移動によって前記キャッチ片（３ｂ，５３ｂ）の下向き面（３ｍ，５３ｍ）が前記キャッチベース（３ａ）のベース面（３ｈ）から離間することによってそのくさび状の隙間（３ｃ，５３ｃ）が拡がるように設けられるとともに、前記くさび状の隙間（３ｃ，５３ｃ）における緯糸（２０）の保持位置を決定する緯糸ストッパ（９）を前記キャッチベース（３ａ）の側部に設け、前記くさび状の隙間（３ｃ，５３ｃ）に導入された緯糸（２０）が前記舌片部の頂部（８ｄ，５８ｄ）を通過した後前記緯糸ストッパ（９）によって係止したときに、緯糸（２０）が前記キャッチ片（３ｂ，５３ｂ）の下向き面（３ｍ，５３ｍ）上に位置するように前記緯糸ストッパ（９）を設けてもよい。
【００２０】
好適には、前記緯糸ストッパ（９）を前記キャッチベース（３ａ）に対してレピアヘッド（２）の長手方向に相対的に位置調節可能に設けてもよい。
【００２１】
レピアヘッド（２）の後壁（７）が設けられる側の側部にレピアヘッド（２）の長手方向に延在するヘッドカバー（１０，４０，６０）を設け、前記ヘッドカバー（１０，４０，６０）を、上壁部（１０ａ）と、上壁部（１０ａ，４０ａ，６０ａ）の両側から下方に突出する後側の側壁部（１０ｂ，４０ｂ，６０ｂ）ならびに前側の側壁部（１０ｃ，４０ｃ，６０ｃ）とを有するように構成し、前記後側の側壁部（１０ｂ，４０ｂ，６０ｂ）にキャリアレピアに緯糸（２０）を受け渡す際に緯糸（２０）の位置を規制する緯糸ガイド（１０ｆ，４０ｆ，６０ｆ）を形成し、前記前側の側壁部（１０ｃ，４０ｃ，６０ｃ）にレピアヘッド（２）の先端側に進むにつれて徐々に下降する上稜部（１０ｄ，４０ｄ，６０ｄ）およびこれに連なる頂部（１０ｅ，４０ｅ，６０ｅ）を有しており、前記舌片部（８，３８，４８，５８，６８，７８）が前記待機位置（Ｐ１）に位置する状態において、レピアヘッド（２）の側方より見て、前記舌片部（８，３８，４８，５８，６８，７８）の先端部分の上稜部（８ｂ，３８ｂ，４８ｂ，５８ｂ，６８ｂ）を、前記ヘッドカバー（１０）の上稜部（１０ｄ，４０ｄ，６０ｄ）に連続するように設け、前記上壁部（１０ａ，４０ａ，６０ａ）と、前記前側の側壁部（１０ｃ，４０ｃ，６０ｃ）と、前記舌片部（８，３８，４８，５８，６８，７８）の先端部分の上稜部（８ｂ，３８ｂ，４８ｂ，５８ｂ，６８ｂ，７８ｂ）と、後壁の上稜部（７ｂ）とがレピアヘッド（２）の先端部（４）に連続するようにしてもよい。
【００２２】
前記舌片部（８，３８，５８）を、インサートレピア（２）の上方側より見て、前記ヘッドカバー（１０）と前記キャッチ片（３ｂ，３３ｂ，５３ｂ）との間に配置するとともに、前記舌片部（８，３８，５８）が前記退避位置（Ｐ２）へ移動した状態において、レピアヘッド（２）の側方より見て、舌片部の下稜部（８ｃ，３８ｃ，５８ｃ）を後壁の上稜部（７ｂ）に対して離間し、舌片部の下稜部（８ｃ，３８ｃ，５８ｃ）と、前記後壁の上稜部（７ｂ）および前壁の上稜部（６ｂ）とによって、前記緯糸保持部（３，３３，５３）に通ずる緯糸通路（１１）を形成してもよい。
【００２３】
前記レピアヘッド（２）の後壁（７）に、後壁の頂部（７ａ）よりレピアヘッド（２）の基端側へ突出する凸部（７ｃ）を形成し、また前記凸部（７ｃ）の下向きの稜線が先端側から基端側に転向してレピアヘッド（２）の底部（５）に連続されるように設けられていて、キャリアレピアに緯糸（２０）を受け渡す際に緯糸（２０）に当接する凹状の緯糸当接部（７ｄ）を形成しており、前記舌片部（８，３８，５８）が前記退避位置（Ｐ２）へ移動した状態において、レピアヘッド（２）の側方より見て、ヘッドカバー（１０）の下稜部（１０ｇ）および舌片部の下稜部（８ｃ，３８ｃ，５８ｃ）を、前記後壁（７）の凸部（７ｃ）と重複しないように設け、前記ヘッドカバーの下稜部（１０ｇ）と、前記舌片部の下稜部（８ｃ，３８ｃ，５８ｃ）と、前記後壁（７）の凸部（７ｃ）と、前記前壁の上稜部（６ｂ）とによって、緯糸保持部（３，３３，５３）に通ずる緯糸通路（１１）を形成してもよい。
【００２４】
前記舌片部（８，３８，４８，５８，６８，７８）が前記待機位置（Ｐ１）にあるときの前記舌片部の頂部（８ｄ，３８ｄ，４８ｄ，５８ｄ，６８ｄ，７８ｄ）を、経糸方向に対し所定角度で延在し、かつインサートレピア（１）の走行に伴って前記後壁（７）の上稜部（７ｂ）および前壁（６）の上稜部（６ｂ）に接触しながら相対移動する緯糸（２０）の位置よりも高い位置に設けてもよい。
【００２５】
前記舌片部（８，３８）が設けられるレバー（１３、３５）の端部に、レピアヘッド（２）の上部に突出する受圧部（１２，３６）を設け、前記レバー（１３，３５）および前記舌片部の先端部分（８ａ，３８ａ）を付勢手段（１４）により待機位置（Ｐ１）に戻す方向に付勢し、レピア織機のインサートレピア（１）の走行経路上にオープナカム（１７）を前記受圧部（１２，３６）に当接可能に配置し、緯糸（２０）が前記舌片部の頂部（８ｄ，３８ｄ）を通過する前に、前記受圧部（１２，３６）を前記配置されたオープナカム（１７）に当接させることによって舌片部（８，３８）を前記退避位置（Ｐ２）へ移動させてもよい。
【００２６】
前記レピアヘッド（２）に、変位可能な受圧部材（１５）および前記受圧部材（１５）の変位に連動して舌片部（８）を移動させる運動伝達部（１６）を設け、前記舌片部（８）を、付勢手段（１４ｂ）によって待機位置（Ｐ１）へ戻す方向に付勢し、レピア織機のインサートレピア（１）の走行経路上にオープナカム（１７）を前記受圧部材（１５）に当接可能に配置し、緯糸（２０）が前記頂部（８ｄ）を通過する前に、前記受圧部材（１５）を前記配置されたオープナカム（１７）に当接させることによって変位させ、前記受圧部材（１５）は、前記運動伝達部（１６）を介して前記舌片部（８）を前記退避位置（Ｐ２）へ移動させるようにしてもよい。
【００２７】
前記舌片部（４８）を、長手方向に延在しかつ長手方向の移動を許容するように支持されるスライドレバー（４９）の先端に設けてもよい。
【００２８】
前記レピアヘッド（２）に、変位可能な受圧部材（４１）および前記受圧部材（４１）の変位に連動して舌片部（４８）を移動させる運動伝達部（４６）を設け、前記舌片部（４８）を、付勢手段（４２）によって待機位置（Ｐ１）へ戻す方向に付勢し、レピア織機のインサートレピア（１）の走行経路上にオープナカム（１７）を前記受圧部材（４１）に当接可能に配置し、緯糸（２０）が前記頂部（４８ｄ）を通過する前に、前記受圧部材（４１）を前記配置されたオープナカム（１７）に当接させることによって変位させ、前記受圧部材（４１）は、前記運動伝達部（４６）を介して前記舌片部（４８）を前記退避位置（Ｐ２）へ移動させるようにしてもよい。
【発明の効果】
【００２９】
本発明によれば、レピアヘッドの先端側に設けられた後壁（７）および前壁（６）と、その間に設けられた舌片部（８，３８，４８，５８，６８，７８）とにより構成された経糸かき分け部を有するインサートレピア（１）において、確実に経糸をかき分ける効果に加えて、以下の効果を得ることができる。すなわち、緯糸を保持させる際に、緯糸（２０）が前記舌片部の頂部（８ｄ，３８ｄ，４８ｄ，５８ｄ，６８ｄ，７８ｄ）を通過する前に、経糸かき分け部を構成する前壁（６）、後壁（７）、舌片部（８，３８，４８，５８，６８，７８）のうち、舌片部（８，３８，４８，５８，６８，７８）を退避位置（Ｐ２）へ移動させることで、前壁（６）および後壁（７）と、舌片部の先端部分（８ａ，３８ａ，４８ａ，５８ａ，６８ａ，７８ａ）との間隔を拡げて（具体的には、舌片部の頂部（８ｄ，３８ｄ，４８ｄ，５８ｄ，６８ｄ，７８ｄ）との間口を拡げて）緯糸（２０）を緯糸保持部（３，３３，４３，５３，６３，７３）に案内することができる。これにより、全体的にまとまりのない（ばらけやすい）緯糸（２０）、あるいはテープ状の緯糸（２０）のようなこれまで緯糸保持部（３，３３，４３，５３，６３，７３）までの導入が困難であった緯糸（２０）であっても、緯糸（２０）を舌片部（８，３８，４８，５８，６８，７８）等に引っ掛けることなく確実に緯糸保持部（３，３３，４３，５３，６３，７３）に案内できる。このため、インサートレピア（１）が緯糸をキャッチミスする頻度が減少するため、織布生産性が向上する。
【００３０】
舌片部（８，３８，５８）を上下方向に回動可能なレバー（１３，３５，３７，３９）の先端に設けることにより、舌片部（８，３８，５８）を変位させる構成を簡略化したインサートレピア（１）を提供できる。より好適には、緯糸保持部（３，５３）を、キャッチベース（３ａ）と、キャッチ片（３ｂ，５３ｂ）との間で緯糸（２０）を保持する構成とし、前記キャッチ片（３ｂ，５３ｂ）を上下方向に回動可能なレバー（１３，３７，３９）の一部として構成する。これにより、緯糸保持部（３，５３）に緯糸（２０）を導入する際に前記キャッチ片（３ｂ，５３ｂ）と前記キャッチベース（３ａ）との間の間隔を広げることができるので、従来に比べてより緯糸保持部（３，５３）の奥部に緯糸（２０）を導入して緯糸（２０）を全体的に保持することができる。このため、緯糸保持部（３，５３）の隙間の狭い領域に緯糸（２０）食い込ませて保持した場合に生じていた、緯糸（２０）の一部のフィラメントにストレスが集中的に働くことに起因するフィラメント折れや緯糸が裂けるといった問題を解消できる。
【００３１】
より好適には、前記舌片部（８，５８）を前記キャッチ片（３ｂ，５３ｂ）の側部に設ける。これにより、キャッチ片（３ｂ，５３ｂ）を移動させる構成を舌片部（８，５８）と兼用することができるため、構成がより簡略化され、舌片部（８，５８）の移動と同時にキャッチ片（３ｂ，５３ｂ）を移動させることができる。
【００３２】
前記舌片部（８，５８）をキャッチ片（３ｂ，５３ｂ）の側部に併設するインサートレピア（１）において、舌片部の下稜部（８ｃ，５８ｃ）を、レピアヘッド（２）の側方より見て、前記キャッチ片の下稜部（３ｅ，５３ｅ）に連続するように設けた。これにより、舌片部（８，５８）が前記退避位置（Ｐ２）に位置にある状態のレピアヘッド（２）の走行にともない、経糸（２１）に対して所定角度で交差するように配置される緯糸（２０）を、舌片部の下稜部（８ｃ，５８ｃ）に接触させて案内し、緯糸（２０）を確実に緯糸保持部（３，５３）に導くことができる。
【００３３】
舌片部（８，５８）をキャッチ片（３ｂ，５３ｂ）の側部に併設するインサートレピア（１）において、さらに緯糸保持部（３，５３）を構成するキャッチベース（３ａ）のベース面（３ｈ）と、キャッチ片（３ｂ，５３ｂ）の下向き面（３ｍ，５３ｍ）との間に、レピアヘッド（２）の先端方向に向かって開口するくさび状の隙間（３ｃ，５３ｃ）を形成し、緯糸導入時に舌片部（８，５８）の退避位置（Ｐ２）への移動に伴ってキャッチベース（３ａ）のベース面（３ｈ）に対して前記キャッチ片（３ｂ，５３ｂ）の下向き面（３ｍ）を離間させることができるから、緯糸（２０）にストレスを与えることなく拡大されたくさび状の隙間（３ｃ，５３ｃ）に緯糸（２０）を導入できる。また、その後舌片部（８，５８）の待機位置（Ｐ１）への移動に伴ってくさび状の隙間（３ｃ，５３ｃ）が通常の隙間に戻されることによって前記導入される緯糸（２０）をくさび状の隙間（３ｃ，５３ｃ）に保持することができる。
【００３４】
舌片部（８，５８）をキャッチ片（３ｂ，５３ｂ）の側部に併設するインサートレピア（１）において、さらに、前記くさび状の隙間（３ｃ，５３ｃ）における緯糸（２０）の保持位置を決定する緯糸ストッパ（９）を前記キャッチベース（３ａ）の側部に設け、くさび状の隙間（３ｃ，５３ｃ）に導入された緯糸（２０）が緯糸ストッパ（９）によって係止したときに、緯糸（２０）が前記キャッチ片（３ｂ，５３ｂ）の下向き面（３ｍ，５３ｍ）上に位置するようにした。これにより、緯糸（２０）が、緯糸（２０）を引き出し可能なくさび状の隙間（３ｃ，５３ｃ）よりも奥にある緯糸保持部（３，５３）の当接領域まで入り込んでしまうことを規制し、キャリアレピアへの緯糸受渡しの際に緯糸（２０）を引き出すことができずに受渡しミスが発生するといった不都合を防止できる。さらに好適には、前記緯糸ストッパ（９）をキャッチベース（３ａ）やキャッチ片（３ｂ、５３ｂ）に対して、言い換えれば前記くさび状の隙間（３ｃ，５３ｃ）に対してレピアヘッド（２）の長手方向に相対的に位置調節可能に設ける。これにより、長手方向に進むにつれて漸減する前記くさび状の隙間（３ｃ，５３ｃ）に対して緯糸（２０）の保持位置を緯糸ストッパ（９）の位置により適切に設定でき、これにより、くさび状の隙間（３ｃ，５３ｃ）に対する緯糸（２０）の食い込み具合（言い換えればインサートレピア（１）の緯糸保持力）を調節できる。
【００３５】
前記舌片部（８，３８，４８，５８，６８，７８）が待機位置（Ｐ１）に位置する状態において、レピアヘッド（２）の側方より見て、レピアヘッド（２）の緯糸保持部（３，３３，４３，５３，６３，７３）よりも先端側の投影形状がレピアヘッド（２）の先端部（４）に収斂する先細り形状となるようにレピアヘッド（２）の上稜部および下稜部が形成されている。より詳しくは、舌片部の先端部分の上稜部（８ｂ，３８ｂ，４８ｂ，５８ｂ，６８ｂ，７８ｂ）は、ヘッドカバーの上稜部（１０ｄ，４０ｄ，６０ｄ）に連続するように設けられ、ヘッドカバーの上壁部（１０ｄ，４０ｄ，６０ｄ）と、ヘッドカバーの前側の側壁部（１０ｃ，４０ｃ，６０ｃ）と、前記舌片部の先端部分の上稜部（８ｂ，３８ｂ，４８ｂ，５８ｂ，６８ｂ，７８ｂ）と、後壁の上稜部（７ｂ）とがレピアヘッドの先端部（４）に連続している。これにより、インサートレピア（１）が経糸開口内に進入する方向に走行時、仮に毛羽搦みによる開口不良の経糸があっても、レピアヘッド（２）の先端部（４）より上側に案内された経糸（２１）を、後壁の上稜部（７ｂ）、舌片部の先端部分の上稜部（８ｂ，３８ｂ，４８ｂ，５８ｂ，６８ｂ，７８ｂ）、ヘッドカバーの上壁部（１０ｄ，４０ｄ，６０ｄ）の順に順次連続的に案内させることができ、確実に開口不良の経糸（２１）をかき分けることができる。
【００３６】
その上で、インサートレピア（１）に緯糸（２０）を保持させる際に、緯糸（２０）の導入に先立ち、舌片部（８，３８，５８）を退避位置（Ｐ２）へ移動させた状態において、レピアヘッド（２）の側方より見て、舌片部の下稜部（８ｃ，３８ｃ，５８ｃ）は、後壁の上稜部（７ｂ）に対して離間し、前記舌片部の下稜部（８ｃ，３８ｃ，５８ｃ）と、前記後壁の上稜部（７ｂ）及び前壁の上稜部（６ｂ）との間に緯糸保持部（３，３３，５３）に通ずる緯糸通路（１１）を形成する。これにより、従来のインサートレピアでは、緯糸保持部への安定した導入が困難であった全体的にまとまりのない（ばらけやすい）緯糸（２０）やテープ状の緯糸（２０）であっても、まとまった状態のまま上記開放された緯糸通路（１１）を通じて緯糸保持部（３，３３，５３）に確実に案内でき、より確実に緯糸（２０）を保持できる。
【００３７】
レピアヘッド（２）の後壁（７）には、後壁の頂部（７ａ）よりレピアヘッド（２）の基端側に突出する凸部（７ｃ）により、底部（５）との間に凹状の緯糸当接部（７ｄ）が形成されている。これにより、キャリアレピアがインサートレピア（１）から緯糸（２０）を引き取るに際し、インサートレピア（１）側の緯糸保持部（３，３３，４３，５３，６３，７３）に保持された緯糸（２０）を前記緯糸当接部（７ｄ）に当接させて位置規制して引き出すため、緯糸（２０）に過剰なストレスを与えることなく緯糸保持部（３，３３，４３，５３，６３，７３）から緯糸（２０）を引出すことができる。さらに、インサートレピア（１）に緯糸（２０）を保持させる際に、舌片部（８，３８，５８）が退避位置（Ｐ２）へ移動した状態において、レピアヘッド（２）の側方より見て、ヘッドカバーの下稜部（１０ｇ）および舌片部の下稜部（８ｃ，３８ｃ，５８ｃ）は、前記緯糸当接部（７ｄ）の凸部（７ｃ）から離間するように設けられている。そして、上記同様に側方より見て、前記ヘッドカバーの下稜部（１０ｇ）と、前記舌片部の下稜部（８ｃ，３８ｃ，５８ｃ）と、前記緯糸当接部（７ｄ）の凸部（７ｃ）と、前記前壁の上稜部（６ｂ）とによって、緯糸保持部（８，３３，５３）に通じ、かつ進入方向に開放された緯糸通路（１１）を形成し、さらに、舌片部の下稜部（８ｃ，３８ｃ，５８ｃ）が、後壁（７）の凸部（７ｃ）に近接する領域で凸部（７ｃ）に重複しないように設けられる。これにより、舌片部（８，３８，５８）の移動量を大きくすることなく、緯糸保持部（８，３３，５３）への緯糸通路（１１）を広くでき、確実に緯糸（２０）を緯糸保持部（８，３３，５３）に案内して保持できる。
【００３８】
待機位置（Ｐ１）にある舌片部の先端部分の頂部（８ｄ，３８ｄ，４８ｄ，５８ｄ，６８ｄ，７８ｄ）は、経糸方向に対し所定角度をなすように配置される緯糸（２０）がインサートレピア（１）の走行に伴って後壁の上稜部（７ｂ）および前壁の上稜部（６ｂ）に接触しながら相対移動するときの緯糸（２０）の位置よりも高い位置に設けられている。これにより、これまで製織に支障がなかった通常の緯糸（まとまりのある緯糸）（２０）を緯入れするときは、舌片部（８，３８，４８，５８，６８，７８）を退避位置（Ｐ２）へ移動させなくても緯糸（２０）を従来通り保持できる。また、従来緯糸保持部（３，３３，４３，５３，６３，７３）への導入に問題が生じていた、上記まとまりのないあるいは特殊形状の緯糸緯入れ時には、舌片部（８，３８，４８，５８，６８，７８）を退避位置（Ｐ２）に移動させて上記緯糸通路（１１）を広くすることで緯糸（２０）を確実に緯糸保持部（３，３３，４３，５３，６３，７３）に案内できる。従って、糸種の切り換わりに対応して、舌片部（８，３８，４８，５８，６８，７８）の退避位置（Ｐ２）への移動の有無を切り換えることにより、舌片部（８，３８，４８，５８，６８，７８）を移動させる駆動回数を減少できる分、インサートレピア（１）がより長命になる。
【００３９】
舌片部（８，３８）の駆動を、舌片部（８，３８）が設けられるレバー（１３，３５，３６）の端部の受圧部（１２，１５，３６）にインサートレピア（１）の走行経路上に設けたオープナカム（１７）を当接させることによって行い、インサートレピア（１）の走行時に、インサートレピア（１）の先端が緯糸（２０）を通過する前に舌片部（８，３８）を退避位置（Ｐ２）に移動させるようにしたから、インサートレピア（１）にアクチュエータなどの駆動源を設けずに済むため、構成の簡略化とともに省エネに適している。
【００４０】
またインサートレピア（１）の舌片部（４８）を長手方向に延在しかつ長手方向の移動を許容するように支持されるスライドレバー（４９）の先端に設け、インサートレピア（１）の走行時に、前記同様に配置したオープナカム（１７）に当接させることにより、舌片部（４８）を運動伝達部（４６）を介して待機位置（Ｐ１）からこれより長手方向基端側に位置する退避位置（Ｐ２）へ移動させるから、前記した上方の退避位置（Ｐ２）に移動させるものと同様、緯糸（２０）を確実に緯糸保持部に案内できる。
【図面の簡単な説明】
【００４１】
【図１】本発明のインサートレピアの一実施例を示す全体斜視図である。
【図２】図１のインサートレピアの分解状態を示す斜視図である。
【図３】図１のインサートレピアのレピアヘッドの拡大斜視図である。
【図４】図１のインサートレピアのレピアヘッドの拡大平面図である。
【図５】舌片部８が待機位置Ｐ１にある図１のインサートレピアのレピアヘッドの拡大側面図である。
【図６】舌片部８が退避位置Ｐ２にある図１のインサートレピアのレピアヘッドの拡大側面図である。
【図７】（ａ）図４におけるＡ−Ａ断面図である。（ｂ）図４におけるＢ−Ｂ断面図である。
【図８】本発明のインサートレピアの他の実施例を示す拡大平面図および拡大側面図である。
【図９】本発明のインサートレピアのさらなる他の実施例を示す拡大側面図である。
【図１０】本発明のインサートレピアのさらなる他の実施例を示す拡大側面図である。
【図１１】本発明のインサートレピアのさらなる他の実施例を示す拡大側面図である。
【図１２】本発明のインサートレピアのさらなる他の実施例を示す拡大側面図である。
【図１３】本発明のインサートレピアのさらなる他の実施例を示す拡大側面図である。
【図１４】本発明のインサートレピアの舌片部の拡大側面図である。
【図１５】緯糸保持部を構成するキャッチベースおよびキャッチ片を経糸方向を含む垂直面で切った断面図である。
【図１６】従来技術のインサートレピアの一例を示す斜視図である。
【図１７】図１６のインサートレピアの動作を示す斜視面図である。
【図１８】図１６のインサートレピアの動作を示す斜視面図である。
【図１９】図１６のインサートレピアの動作を示す斜視面図である。
【図２０】図１６のインサートレピアの動作を示す斜視面図である。
【図２１】図１６のインサートレピアの動作を示す斜視面図である。
【図２２】図１６のインサートレピアの動作を示す斜視面図である。
【発明を実施するための形態】
【００４２】
図１は、本発明が適用されるインサートレピアの一実施例を示している。ここで、本願においては、説明の便宜上、図１中に付記した座標軸の方向をもって前後、先端、基端及び上下方向を定義する。また、「レピアヘッドの側方から見て」とは、レピアヘッドを図示座標軸における前から後方向に見ることを意味する。
【００４３】
本発明のインサートレピア１は、両側レピア織機に用いられ、緯糸給糸側に配置されるレピアである。インサートレピア１の動作を概説すると、緯入方向へ走行を開始したインサートレピア１は、織布２２と緯糸選択レバー２３との間に架け渡され、図示しない緯糸給糸体に連なる緯糸２０を緯糸保持部３で保持する。緯糸２０は、インサートレピア１に保持されるのとほぼ同じタイミングで、インサートレピア１と織布２２との間の位置で、給糸カッタ２７の作動によって切断される。その後、インサートレピア１は、緯糸２０を保持しながら経糸２１が形成する開口内を走行し、織幅のほぼ中心位置で図示しないキャリアレピアに緯糸２０を受け渡す。なお、本来、緯糸２０および緯糸選択レバー２３は、複数の緯糸給糸体に対応して多色緯入れ可能に複数設けられており、各緯糸の先端は織布２２の先端に連なっているが、説明の都合上、複数の緯糸うち一つの緯糸に関係するもののみを代表的に図示している。緯糸選択レバー２３は、糸種の選択信号に対応する当該選択緯糸を上下方向に変位させるものである。インサートレピア１の走行開始に先立ち、選択糸種に対応する緯糸選択レバー２３を下方に移動させることにより、当該選択緯糸のみをインサートレピア１が保持可能な位置に移動させる。
【００４４】
図２を参照してインサートレピア１の全体構造を概説する。インサートレピア１は、インサートレピア１を往復運動させるレピアバンド２４と、レピアバンド２４の先端に取付治具２５を介して取り付けられるレピアヘッド２と、レピアヘッド２に取り付けられる舌片部８、ヘッドカバー１０、ヘッドチップ２６とを主要部材として備えている。インサートレピア１は、その基端側が、取付治具２５を介してレピアバンド２４の先端側の上面に取り付けられており、ヘッドチップ２６は、図示しない複数のねじを介してレピアヘッド２の下面に組み付けられている。このうち、ヘッドチップ２６ならびにレピアバンド２４は、インサートレピア１の往復運動時、図示しない織機本体のスレーあるいは複数のＧＲガイド上を摺動する部材であり、摩擦抵抗の少ない材料で製作されている。
【００４５】
レピアヘッド２は、インサートレピア１の本体となる部材であり、その先端側に、板状で幅方向（経糸方向）および先端側（緯入方向）に延び、かつ緯入方向ヘ向かって先端が尖った形状を有する底部５を有している。底部５には、その先端部４よりも基端側の位置に、後述するキャッチベース３ａおよび緯糸ストッパ９（前側ストッパ９ａ、後側ストッパ９ｂ）を受け入れ可能な有底状の十字溝５ａが設けられている。また、レピアヘッド２の基端部５ｅは、取付治具２５を介してレピアバンド２４に固定されている。
【００４６】
図３ないし図５は、レピアヘッド２の先端側の詳細を示している。レピアヘッド２の先端側には、レピアヘッド２の底部５の幅方向（図示前後方向）の両側より上方に突出し、レピアヘッド２の側方より見て山型または略山型の後壁７および前壁６が設けられている。そのうち後壁７については、基端側の稜線を有する区間が短く設けられている。レピアヘッド２の側方（織前側すなわち図示前側）より見て、前壁６は、後壁７に対して、先端側半部の一部が互いに重複する領域を有するように設けられている（図５参照）。前壁６および後壁７は、その頂部６ａ，７ａから先端側に進むにつれて底部５へ収斂する稜線をそれぞれを有しており、またレピアヘッド２の先端側における前壁６の稜線の始点が、後壁７の稜線の始点よりも位置的に基端側にずれるように設けられている。また、後壁７の頂部７ａと前壁６の頂部６ａの位置は、ほぼ一致するように設けられている。前壁６の稜線は、その頂部６ａから先端側に進むにつれて、後壁７よりも先に底部５に収斂するように設けられている。このような稜線により、前壁６および後壁７の上稜部６ｂ，７ｂが形成されている。レピアヘッド２の底部５は、先端部４に近づくにつれ、幅方向および厚み方向（上下方向）に収斂する先細り状に形成されている。先端部４は、上下方向への案内面として、上側案内部４ａおよび下側案内部４ｂを形成する。また底部５には、図２に示すように、十字溝５ａが設けられる位置よりも基端側に、ヘッドカバー１０および緯糸ストッパ９ａ，９ｂの各取付座ならびにレバー１３を支持する支持壁として機能する壁部５ｃ、５ｄが、底部５の図示前後方向の両側より上方に、かつ組み付ける上記各部材に対応して長手方向に延びている。
【００４７】
図５に示すように、レピアヘッド２の後壁７は、後壁の頂部７ａよりレピアヘッド２の基端側に延びる凸部７ｃを形成し、この凸部７ｃの上側の稜線は後壁の頂部７ａに連続している。また、下側の稜線は、先端方向に向きその後基端方向に転向してレピアヘッド２の底部５に連続しており、図示しないキャリアレピアへ緯糸２０を受け渡す際に緯糸２０に当接し緯糸２０の位置を規制する鉤状の緯糸当接部７ｄを形成している。なお、緯糸当接部７ｄで画定される内側空間は、底部５と後述するキャッチ片３ｂとの間に形成される空間（後述する緯糸通路１１）に通じている。
【００４８】
また、図２に示すように、レピアヘッド２の後側の壁部５ｃには、レピアヘッド２の長手方向に延在するヘッドカバー１０が、後壁７との間に空間を有するように設けられる。例えば板部材を折り曲げてなるヘッドカバー１０は、上壁部１０ａと、上壁部１０ａの幅方向（図示前後方向）の両側から下方に延びる後側の側壁部１０ｂおよび前側の側壁部１０ｃとを有している。
【００４９】
図３に示すように、ヘッドカバー１０の上壁部１０ａおよび前側の側壁部１０ｃは、前側の側壁部１０ｃの先端側を延長した位置で、かつ上壁部１０ａの高さよりも低い位置に頂部１０ｅを有している。また、上壁部１０ａおよび前側の側壁部１０ｃは、レピアヘッド２の先端側に進むにつれて徐々に下降して頂部１０ｅに至る上稜部１０ｄを形成している。また、前側の側壁部１０ｃには、後述する緯糸ストッパ９として機能すべく下方に向けて延びる突出部（後側ストッパ９ｂ）と、突出部から頂部１０ｅに向けて曲線的に連続する下稜部１０ｇとが形成されている。
【００５０】
一方、ヘッドカバー１０の後側の側壁部１０ｂには、先端側に開口するスリット状の緯糸ガイド１０ｆが形成されている。この緯糸ガイド１０ｆは、インサートレピア１が緯糸２０を保持してから、図示しないキャリアレピアに緯糸２０を受け渡すまでの間、緯糸２０が上下方向に移動しないように規制する機能を有しており、後述する緯糸ストッパ９（後側ストッパ９ｂ）とともに、後述する緯糸保持部３における緯糸２０の保持位置を定める規制部を構成する。
【００５１】
底部５には、レピアヘッドの幅方向（前後方向）において後壁７と前壁６との間の位置であって、長手方向において前壁６と前側の壁部５ｄとの間の位置に、緯糸保持部３が設けられる。緯糸保持部３は、緯入れする緯糸２０を保持するものであり、本実施例では、緯糸保持部３は、レピアヘッド２の底部５に設けられるキャッチベース３ａのベース面（上面）３ｈと、上下方向に回動可能なレバー１３の先端側に設けられるキャッチ片３ｂの下向き面３ｍとから構成されている。
【００５２】
キャッチベース３ａは、レピアヘッド２の十字溝５ａに埋め込まれた状態で、基端側に進むにつれて、そのベース面３ｈが底部５の上面から上方に突出するように設けられている。また、キャッチ片３ｂは、レバー１３の先端側に設けられている。レバー１３は、図２に示すとおり、レピアヘッド２を前後方向に貫通する支軸部材１３ｃ（ブッシュ１３ａ、ピン１３ｂ）を回転軸として、レピアヘッド２に対して上下方向に回動自在に取り付けられている。なお、キャッチ片３ｂは、図５に示すとおり、キャッチベースのベース面３ｈに対向する対向面として、下向き面３ｍを有している。
【００５３】
レバー１３は、支軸部材１３ｃを挟んでキャッチ片３ｂとは反対側の端部に、レピアヘッド２の上方に突出する受圧部１２を有している。受圧部１２の下面には、付勢手段としての圧縮コイルばね１４が配置されている。圧縮コイルばね１４は、いくらか圧縮状態で一端がスプリングホルダ１４ａに収容され、他端が受圧部１２の下面に当接するように配置されていて、受圧部１２を上方に付勢している。これにより、支軸部材１３ｃを挟んで受圧部１２と反対側にあるキャッチ片３ｂは、その下向き面（対向面）３ｍの一部を、キャッチベース３ａのベース面（上面）３ｈに弾性的に圧接した状態となっている。
【００５４】
この状態において、キャッチベース３ａのベース面３ｈとキャッチ片３ｂの下向き面３ｍとが圧接している部分は、基端側の一部だけであり、キャッチベース３ａのベース面３ｈと、キャッチ片３ｂの対向面３ｍとは、先端側（緯入れ側）に開口して緯糸２０を保持するくさび状の隙間３ｃを形成している。このくさび状の隙間３ｃは、緯糸２０を保持可能な程度の間隔を有しており、キャッチベース３ａのベース面３ｈと、キャッチ片３ｂの対向面３ｍとの間に緯糸２０を挟んで緯糸２０を保持する。
【００５５】
なお、レバー１３の受圧部１２は、図示しない織機本体のインサートレピア１（レピアヘッド２）の走行経路上に設けられたオープナカム１７に当接可能に設けられている。より詳しくは、オープナカム１７は、インサートレピア１の先端部４が緯糸２０を横切るタイミングの近傍で、所定区間にわたり、受圧部１２をオープナカム１７の下方向に突出するリフト面１７ａによって押すように形成されている。走行するインサートレピア１の受圧部１２にオープナカム１７が当接すると、受圧部１２が押し下げられ、支軸部材１３ｃを挟んで受圧部１２と反対側にあるキャッチ片３ｂが上方に移動し、緯糸保持部３が開いた状態となる。
【００５６】
図４は、図３に示すインサートレピア１を図示上方からみたものである。舌片部８は、図から明らかなように、後壁７および前壁６よりも緯糸保持部３側から、後壁７と前壁６との間の領域へ向かって延在している。本実施例では、舌片部８は、前述した上下方向に回動可能なレバー１３の先端において、キャッチ片３ｂの後側側部にキャッチ片３ｂと一体に設けられている。さらに舌片部８は、ヘッドカバー１０とキャッチ片３ｂとの間に配置され、かつその頂部８ｄが後壁７および前壁６に対して適度に離間するように配置されている。なお、舌片部８をキャッチ片３ｂとは別部材とし、これをキャッチ片３ｂに対し固着する等により一体に設けても良い。
【００５７】
図５は、キャッチベース３ａとキャッチ片３ｂとが圧接している状態（緯糸保持部３が閉じた状態）のレピアヘッド２をレピアヘッド２の側方より見たものである。この状態では、レバー１３の受圧部１２に対しオープナカム１７のリフト面１７ａが当接していない。
【００５８】
舌片部８は、前述したとおり、キャッチ片３ｂと一体に形成されており、キャッチ片３ｂと一体に移動する。舌片部８は、キャッチ片３ｂの側部から舌状に先端方向および上下方向に延びており、その先端側に先端部分８ａを有している。図５に示す状態（緯糸保持部３が閉じた状態）において、インサートレピア１の側方より見て、舌片部８の先端部分８ａは、後壁７と前壁６の重複する領域に舌片部８の頂部８ｄを有している。具体的には、舌片部８の頂部８ｄは、ヘッドカバー１０の頂部１０ｅよりも先端側であってレピアヘッド２の先端部４よりも基端側に、かつ後壁７の頂部７ａならびに前壁６の頂部６ａよりも高さ方向に下方であって底部５の上面よりも上方に位置している。なお、本明細書では、図５に示すような、舌片部８の頂部８ｄが前記重複する領域に位置する状態を、舌片部８が「待機位置Ｐ１」にあるという。特許請求の範囲についても同様である。また、舌片部８の先端部分８ａは、上に凸に形成される上稜部８ｂの基端側の変曲点８ｈから舌片部８の頂部８ｄまで（図１４に示す区間Ｓ１）に存在する部分を指す。特許請求の範囲についても同様である。
【００５９】
図５において、舌片部８は、いずれも舌片部８の頂部８ｄから基端方向に曲線的に連続して設けられる上稜部８ｂおよび下稜部８ｃを有している。上稜部８ｂは、キャッチ片３ｂの側部から舌片部８の頂部８ｄの間で上に凸の形状を有しており、下稜部８ｃは、舌片部８の頂部８ｄから下方のキャッチ片３ｂの下向き面３ｍ（下稜部３ｅ）に向けて連続する形状を有している。舌片部８の上稜部８ｂは、舌片部８、言い換えればキャッチ片３ｂが待機位置Ｐ１に位置する状態（図５に示す状態）で、後壁７の上稜部７ｂおよびヘッドカバー１０の上稜部１０ｄを横断するように設けられるとともに、横断する２つの位置間で基端側に進むにつれて徐々に高さ方向（上方）に上昇するように設けられていて、後述する経糸かき分け部の一案内面として機能する。
【００６０】
図６は、緯糸保持部３が開いた状態のレピアヘッド２をレピアヘッド２の側方より見たものである。インサートレピア１の走行に伴って、オープナカム１７のリフト面１７ａが受圧部１２に当接し、受圧部１２が押し下げられると、支軸部材１３ｃを挟んで受圧部１２と反対側にあるキャッチ片３ｂが上方に移動し、緯糸保持部３が開く。このとき、キャッチベース３ａのベース面（上面）３ｈとキャッチ片３ｂの下向き面３ｍ（対向面）とで構成されるくさび状の隙間３ｃは、キャッチ片３ｂがキャッチベース３ａから離間することによりその隙間が拡大する。
【００６１】
また、キャッチ片３ｂの上方への移動と同時に、キャッチ片３ｂと一体の舌片部８も上方へ移動する。舌片部８が上方へ移動した状態において、レピアヘッド２の側方より見て、舌片部８の頂部８ｄは、レピアヘッド２の後壁７の頂部７ａの高さよりも上方に位置し、舌片部８の下稜部８ｃは、後壁７の上稜部７ｂおよび凸部７ｃに対して離間する。この結果、舌片部８の下稜部８ｃと、後壁７の上稜部７ｂおよび凸部７ｃと、前壁６の上稜部６ｂと、ヘッドカバー１０の下稜部１０ｇとによって、インサートレピア１の進入方向つまりインサートレピア１の先端側に開口し、緯糸保持部３に通ずる緯糸通路１１が形成される。なお、本明細書では、図６に示すようにキャッチ片３ｂを有するレバー１３が移動した結果舌片部８が後壁７との間に緯糸通路１１を形成する位置にあるとき、舌片部８が「退避位置Ｐ２」にあるという。特許請求の範囲についても同様である。
【００６２】
レバーの回転中心（軸受部材１３ｃ）から舌片部８の中心までを結ぶ補助線を１点鎖線で図６、図５およびこれ以降の図面に図示することで、舌片部８の待機位置Ｐ１および退避位置Ｐ２の関係を示す。図５に示すように、舌片部８が待機位置Ｐ１にあるとき、レピアヘッド２の側方より見て、舌片部８の先端部分８ａの上稜部８ｂは、後壁７ａの上稜部７ｂおよびヘッドカバー１０の上稜部１０ｄを横断しかつ横断する２つの位置間で舌片部８の頂部８ｄからインサートレピア１の基端側へ進むにつれて高さ方向に徐々に上昇され、ヘッドカバー１０の上壁部１０ａに連続するように形成されている。そして、ヘッドカバー１０の上壁部１０ａと、ヘッドカバー１０の前側の側壁部１０ｃと、舌片部８の先端部分８ａの上稜部８ｂと、後壁の上稜部７ｂとは、インサートレピア１の側方より見て、レピアヘッド２の先端部４（上側案内部４ａ）に連続している。すなわち、レピアヘッド２をレピアヘッド２の側方より見て、前壁６と、後壁７と、舌片部８と、ヘッドカバー１０とは、その投影形状がレピアヘッドの先端部４に収斂する先細り形状を呈し、経糸かき分け部を構成している。
【００６３】
一方、図６に示すように、舌片部８が退避位置Ｐ２にあるとき、舌片部８の頂部８ｄは、後壁の頂部７ａおよび前壁の頂部６ａのいずれに対しても、これらよりも高さ方向上方に位置している。また、舌片部８の下稜部８ｃは、頂部８ｄからキャッチ片３ｂの下向き面３ｍに連続するように形成されている。そして、インサートレピア１の側方より見て、舌片部８の下稜部８ｃ、後壁７ａの上稜部７ｂならびに凸部７ｃと、前壁６の上稜部６ｂとは、くさび状の隙間３ｃに通ずる緯糸通路１１を形成している。
【００６４】
なお、図３に示すインサートレピア１は、経糸開口内への進入方向に走行をし始めた、オープナカム１７に当接する直前の状態を示す図であり、図３に２点鎖線で図示する緯糸２０は、その後保持された状態における糸経路を仮想的に示したものである。
【００６５】
図３において、キャッチベース３ａの側部には、くさび状の隙間３ｃにおける緯糸２０の保持位置を決定する緯糸ストッパ９（前側ストッパ９ａ、後側ストッパ９ｂ）が組み付けられている。より詳しくは、前側ストッパ９ａは、板部材にて製作されており、後側ストッパ９ｂは、ヘッドカバー１０と一体に形成されている。前側ストッパ９ａ、後側ストッパ９ｂは、下向きに突出する突出部を底部５の十字溝５ａに指向させた状態で、レピアヘッド２に対して組み付けられている。この緯糸ストッパ９のうち、前側ストッパ９ａを構成する係止片９ｃは、プレート９ｄ、および複数のねじ９ｅ，９ｆを介して前側の壁部５ｄに固着されている。係止片９ｃには、ねじ貫通用の長手方向に延びる長穴が設けられていて、前側ストッパ９ａをキャッチベース３ａに対してレピアヘッド２の長手方向に相対的に位置調節可能にしている。基端側へ向かって隙間が漸減されるくさび状の隙間３ｃに対し、前側ストッパ９ａの位置を長手方向の任意の位置に位置決めし、その位置より奥（基端側）への緯糸２０の進入を規制して保持する。これにより緯糸保持部３の緯糸保持力を増減可能になっている。
【００６６】
より詳しくは、図３に示すとおり、キャッチベース３ａの後側の側部近傍には、緯糸２０に係合可能な後側ストッパ９ｂがその下向きの先端を十字溝５ａに収容されるように設けられている。レピアヘッド２の走行にともなって、経糸方向に対して所定角度で架けわたされた緯糸２０が後側ストッパ９ｂに当接すると、緯糸２０は、キャッチベース３ａのベース面３ｈとキャッチ片３ｂの対向面３ｍとの間のくさび状の隙間３ｃの間にちょうど位置するようになっている。なお、緯糸２０の経糸方向に対する前記所定角度は、例えば５０°〜６０°である。
【００６７】
また、キャッチベース３ａの前側の側部には、くさび状の隙間３ｃが設けられる（緯糸保持部３）領域内において、前側ストッパ９ａがその下向きの先端を十字溝５ａに収容されるように設けられている。前側ストッパ９ａは、後側ストッパ９ｂ同様に、くさび状の隙間３ｃにおける緯糸２０の保持位置を定める。
【００６８】
前述した通り、緯糸ストッパ９としての前側ストッパ９ａは、くさび状の隙間３ｃが設けられる領域内で、レピアヘッド２の長手方向に相対的位置調節可能に設けられており、これによりくさび状の隙間３ｃに対する緯糸２０の保持位置（緯糸保持張力）を調節可能にしている。しかし、これに代えて後側ストッパ９ｂの保持位置を調節可能にしてもよく、双方ともに位置調節可能に構成してもよい。なお、前側ストッパ９ａ、後側ストッパ９ｂのいずれかを省略することも可能である。
【００６９】
ところで、緯糸２０を緯糸保持部３へ安定して導く上で、緯糸通路１１は、基端部へむけて一定の幅または幅が漸減し、かつ滑らかにその開口部から緯糸保持部３まで通じていることが好ましい。例えば、レピアヘッド２をレピアヘッド２の側方より見て、舌片部８の下稜部８ｃおよびヘッドカバーの下稜部１０ｇは、前壁６と後壁７の凸型の投影形状に対応する凹型の投影形状を形成することが好ましい。
【００７０】
次に、本実施例のインサートレピア１の緯入れ動作について説明する。図１において、緯入れされる緯糸２０は、織布２２の端部と、緯糸選択レバー２３との間で経糸２１に対し所定の角度をなすように張架されており、この緯糸２０に向けて緯入方向へ走行するインサートレピア１が接近する。このとき、架け渡された緯糸２０が舌片部８の頂部８ｄに達する前までに、インサートレピア１は、レバー１３の受圧部１２の移動経路上に配置したオープナカム１７（図１では省略）により受圧部１２が押圧されて緯糸保持部３が開いた状態にされており、舌片部８が退避位置Ｐ２へ移動した状態となっている（図６に示す状態）。
【００７１】
なお、緯糸保持部３を開く（舌片部８を退避位置Ｐ２へ移動させる）タイミングは、遅くとも緯糸２０が舌片部８の頂部８ｄを通過する前の時点に定められるが、緯糸２０が舌片部８の頂部８ｄを通過する直前としてもよい。
【００７２】
インサートレピア１の緯入方向への走行に伴い、上記張架された緯糸２０は、レピアヘッド２の先端部４、後壁７の上稜部７ｂの順に接触し、自身の張力により後壁７と接触した状態を保ちながら、レピアヘッド２の基端側に相対的に移動していき、後壁７の最も基端側に位置する凸部７ｃへ至る。このタイミングでは、舌片部８は既に退避位置Ｐ２に移動しており、舌片部８の頂部８ｄは、後壁７に接触した状態にある緯糸２０よりも上方に位置している。このため、緯糸２０は、上記相対的な移動によって頂部８ｄに接することなく通過する。凸部７ｃを通過した緯糸２０は、自身の張力により底部５へ落ち込み、緯糸通路１１へ導びかれる。
【００７３】
緯糸通路１１へ導入された緯糸２０は、次にインサートレピア１の前壁６の上稜部６ａおよび頂部６ｂに接触して案内される。そして、緯糸２０のさらなる相対的な移動によって、舌片部８の下稜部８ｃ、ヘッドカバー１０の下稜部１０ｇに案内されつつ、前壁の上稜部６ｂにも案内されて最終的に緯糸保持部３へ導かれる。これと同時に、インサートレピア１は、オープナカム１７を通過し、リフト面１７ａによる受圧部１２への押圧が解除され、レバー１３は、圧縮コイルばね１４の付勢力によって舌片部８を退避位置Ｐ２から待機位置Ｐ１に移動させる。これにより、緯糸保持部３が閉じ、キャッチ片２ｂの下向き面３ｍとキャッチベース２ａのベース３ｈとの間の隙間が通常の隙間に戻り、緯糸２０は緯糸保持部３に保持されつつ緯糸ストッパ９（前側ストッパ９ａ，後側ストッパ９ａ）によって係止される。このとき、緯糸２０は、キャッチ片３ｂの下向き面３ｍ（対向面）上に位置している（図３の想像線に示す位置）。これにより、緯糸２０の保持が完了する。
【００７４】
その後、インサートレピア１は、図示しない給糸体から緯糸２０を引き出しながら、さらに経糸２１の開口内に進入し、織幅の中央まで走行する（図１参照）。このとき、図５に示す通り、舌片部８は待機位置Ｐ１に位置しており、レピアヘッド２の側方より見て、レピアヘッド２の前壁６と、後壁７と、舌片部８と、ヘッドカバー１０とは、その投影形状がレピアヘッドの先端部４に収斂する先細り状を呈し、経糸かき分け部を構成している。経糸かき分け部は、開口不良の経糸２１をレピアヘッド２の先端部４（より詳しくは、上側案内部４ａおよび下側案内部４ｂを含む）によって経糸２１を上下にかき分ける。
【００７５】
また、段落番号〔００５８〕で説明したとおり、舌片部８が待機位置Ｐ１にあるとき、レピアヘッド２の側方より見て、舌片部８の頂部８ｄは、前記前壁６および後壁７の重複する領域に位置している。すなわち、レピアヘッド２を緯入方向と直交する垂直面（図４のＡ−Ａ）で切ると、図７（ａ）に示すとおり、舌片部の頂部８ｄは、後壁７の上稜部７ｂよりも下に位置するようになっている。したがって、仮に毛羽搦み等によって開口が不完全な経糸２１がインサートレピア１の走行経路上にあったとしても、開口不良の経糸２１は、舌片部８の頂部８ｄの上を通過し、舌片部８の上稜線部８ｂによって上方へはね上げられ、緯糸保持部３へ侵入することなくインサートレピア１の上方を通過する。したがって、開口不良の経糸２１がインサートレピア１に引っ掛かったり、誤って緯糸保持部３に保持されることはない。
【００７６】
インサートレピア１によって織幅の中央まで搬送された緯糸２０は、その位置において、反緯入方向（反給糸側）から経糸開口内に挿入された図示しないキャリアレピアに受け渡される。緯糸２０を受け渡されたキャリアレピアは、緯入方向に後退し、緯糸２０を織布２２の反緯入れ側の端まで搬送する。緯糸２０をキャリアレピアに受け渡したインサートレピア１は、反緯入方向に後退して経糸開口内から抜き出され、緯入れ動作が完了する。なお、インサートレピア１からキャリアレピアへの緯糸２０の受け渡しは、キャリアレピアの後退にともない緯糸２０が緯糸保持部３のくさび状の隙間３ｃから自然に引き出されるようにしてもよいし、受け渡し時に緯糸保持部３を開いて緯糸２０を開放してもよい。
【００７７】
以上説明したとおり、本実施例のインサートレピア１によれば、緯糸２０を緯糸保持部３に導入するときに、舌片部８を退避位置Ｐ２へ移動させ、緯糸２０の径に対して十分に間口を拡げるとともに間隔の広い緯糸通路１１を形成することができるから、従来のインサートレピアと比較して、緯糸２０の緯糸保持部３への案内ミスが発生し難くなる。したがって、全体的にまとまりのない緯糸２０や平らな断面形状などの特殊形状の緯糸２０であっても、緯糸２０を舌片部８等に引っ掛けることなく確実に緯糸保持部３を構成するくさび状の隙間３ｃに案内可能である。また、緯糸２０を緯糸保持部３に導入するときに、緯糸保持部３を開き、キャッチベース３ａとキャッチ片３ｂとが形成するくさび状の隙間３ｃの隙間を広げて緯糸２０を導入し、その後通常の隙間に戻すようにしたから、全体的にまとまりのない緯糸２０であっても平面的にばらけさせることなく、まとまった状態のまま全体的に保持することができる。これにより、インサートレピアの走行中に、従来のインサートレピアで発生しがちであった緯糸２０の裂けを防止できる。また、緯糸２０を構成するフィラメントの一部に屈曲ストレスが極度に加わることによって緯糸２０を構成するモノフィラメントが切れたり、傷ついたりすることを防止できる。
【００７８】
ところで、以上の説明では、本発明の解決課題、すなわち、まとまりのない緯糸２０の安定した保持を実現するために、緯入れ時に舌片部８を退避位置Ｐ２へ移動させ、緯糸保持部３を開く例を示した。しかしながら、本実施例では、従来製織可能であった緯糸（全体的にまとまりのある緯糸）を緯入れする場合は、舌片部８を移動させず、緯糸保持部３を閉じたまま緯糸２０を緯糸保持部３に食い込ませて保持し、緯入れすることも可能である。この場合、本実施例のインサートレピア１は、図１７〜１９で示した従来のインサートレピアと同様に舌片部８および緯糸保持部３を開閉動作しない。
【００７９】
ここで、参考までに、本実施例において、舌片部８を移動させず、緯糸保持部３を開閉させずに緯入れする場合の緯糸保持について簡単に説明する。図１に示すように、経糸２１に対して所定角度で交差するように架けわたされた緯糸２０は、舌片部８（緯糸保持部３）を閉じた状態（図５に示す状態）のインサートレピア１の走行に伴って、レピアヘッド２の後壁７の上稜部７ｂに接触し、自身の張力により後壁７と接触した状態を保ちながら、レピアヘッド２の基端側へ相対的に移動していき、やがて舌片部８の頂部８ｄへ到達する。このとき、レピアヘッド２を前記緯糸２０を含む垂直面（図４のＢ−Ｂ）で切ると、図７（ｂ）に示すとおり、前壁６と後壁７との間に架け渡された前記緯糸２０よりも舌片部の頂部８ｄが上に位置するように前壁６、後壁７、舌片部８の形状が定められている。しかも、図４に示すとおり、レピアヘッド２を上方から見て、舌片部８は、後壁７、前壁６に対しレピアヘッド２の幅方向に適度に離間されていて、舌片部８は、後壁７および前壁６との間に、緯糸２０が通過可能な隙間７ｆ，６ｆを形成している。したがって、緯糸２０は、後壁７の凸部７ｃを通過すると、自身の張力により底部５側へ落ち込み、舌片部８の先端部８ｄに接することなく後壁７と、舌片部８との間の隙間７ｆに入り込む。インサートレピア１の移動に伴って、緯糸２０は、前記隙間７ｆ，６ｆ内から舌片部８と底部５との間の空間をレピアヘッド２の基端側へ移動し、最終的に緯糸保持部３を構成するくさび状の隙間３ｃに案内され、そこで保持される。以上のように、本発明のインサートレピア１によれば、従来から製織可能であった緯糸についても対応可能であり、その上従来から製織が困難であった全体的にまとまりのない緯糸等についても対応可能になるため、これまでに比べより多種多様な織布を製織可能である。
【００８０】
なお、そのような舌片部８を移動させなくても保持可能な緯糸に対し、糸種に関係なく毎回舌片部８および緯糸保持部３を開閉駆動するように構成することも可能である。この場合には舌片部８の位置は、前記制限（すなわち舌片部８と後壁７との間に所定の距離（隙間７ｆ）を設けるなどの）制限はなく、キャッチ片３ｂよりも後側の側方（後壁７側）でキャリアレピアに干渉しない位置であればよい（極論すれば、ヘッドカバー１０の内側に設けても良い）。
【００８１】
また、舌片部８および緯糸保持部３の開閉駆動を緯糸糸種により切り換える手法としては、例えば、織物品種替わりによって、緯入れする緯糸が全て従来のインサートレピアでは把持が難しい糸種に切り換わったときは、織機の設定作業の中でオープナカム１７をインサートレピア１の走行経路に、手動で装着すればよいし、その逆に、全ての緯糸が把持容易な緯糸に切り換わったときには、オープナカム１７を手動で取り外すことで、本発明のインサートレピアをそのまま使うことも考えられる。これに対し、多色緯入れ時のように、従来のインサートレピアでは把持が困難な糸種とそうでない糸種とが混在し、緯入れステップ番号に対応して緯入れする糸種を切り換えるときには、緯糸選択信号によって、緯糸保持部３への案内が難しい緯糸選択時にのみ、オープナカム１７を図示しない電動アクチュエータなどを介してインサートレピア１の走行経路上に進出配置させ、また案内が容易な緯糸選択時には、走行経路上から退避させることで、レバー１３ならびに支軸部材１３ｃの摩耗やインサートレピア１の衝撃を抑えるようにしてもよい。
【００８２】
本発明が適用されるインサートレピアの他の実施例を図８以降に示す。なお、図８に示す実施例は、緯糸保持部３を開閉させず、舌片部３８のみを移動可能に設けるものであり、図８ないし図１３に示す実施例は、舌片部８を移動させる機構に関する別の実施例である。
【００８３】
図８に示す実施例では、キャッチ片３３ｂは、弾性的に変形可能な板部材で製作されている。キャッチ片３３ｂは、その下向き面３３ｍを、キャッチベース３ａのベース面３ｈに対向するようにして、図示しないねじによりレピアヘッド２の底部５に固定されている。舌片部３８は、舌片部３８を先端に有するレバー３５によって舌片部３８のみを単独駆動する。なお、この実施例における舌片部３８は、図２ないし図６に示す舌片部８とほぼ同様の形状を有しており、図８における舌片部３８の先端部分３８ａ、上稜部３８ｂ、下稜部３８ｃ、および頂部３８ｄについても、図３に図示する舌片部８の先端部分８ａ、上稜部８ｂ、下稜部８ｃおよび頂部８ｄと同様に設けられている。
【００８４】
キャッチ片３３ｂは、キャッチベース３ａのベース面３ｈに対し、下向き面３３ｍを基端側で圧接するように設けられていて、図２ないし図６に示した緯糸保持部３と同様、キャッチ片３３ｂの下向き面３３ｍ（対向面）とキャッチベース３ａのベース面３ｈとで形成されるくさび状の隙間３３ｃにより緯糸保持部３３を構成している。また、緯糸保持部３３より先端側ではくさび状の隙間３３ｃとともに先端側に開口する緯糸通路１１を形成している。この例では、図１〜６に示した実施例とは異なり、舌片部３８と、緯糸保持部３３を構成するキャッチ片３３ｂとが別部材として構成されている。また、本実施例では、緯糸保持部３３における開閉駆動を行わない。すなわち、緯糸の保持は、キャッチ片３３ｂとキャッチレバー３ａとが形成するくさび状の隙間３３ｃに緯糸を食い込ませることにより行い、緯糸の開放は、緯糸を受け渡されたキャリアレピアの後退により緯糸がくさび状の隙間３３ｃから自然に引き出される事により行う。このため、緯糸をキャリアレピアに受け渡すタイミングにおける、キャッチ片３３ｂの開閉駆動を省略できる。
【００８５】
また、舌片部３８と、キャッチ片３３ｂとを別部材として構成する図８に示した実施例の変形例として、それらを個々に移動可能に設けることも考えられる。独立して回動する二つのレバーの各々に舌片部３８と、キャッチ片３３ｂとを設け、舌片部３８と、緯糸保持部３３とを異なるタイミングで駆動してもよい。そのようにすれば、舌片部３８の移動、キャッチ片３３ｂの閉鎖のタイミングを個々に設定できる分、緯糸保持状態（緯糸保持張力）をより精密に設定できる。このとき、レバーを駆動するオープナカム１７は、緯入方向に相対的位置調節可能に織機フレーム側に設けるようにすれば、より好適である。
【００８６】
図９は、本発明が適用されるインサートレピアの他の実施例を示している。なお、この実施例における舌片部８、キャッチ片３ｂは、図２ないし図６に示す舌片部８とほぼ同様の形状を有するので、同じ符号を付し説明を省略する。この例では、変位可能な受圧部材１５および受圧部材１５の変位に連動する運動伝達部１６がレピアヘッド２に設けられており、受圧部１５がオープナカム１７から受ける力を運動伝達部１６としてのリンク１６ａ、揺動レバー１６ｂおよびリンク１６ｃとによって向きを変えてレバー３７に伝達し、舌片部８を上方向へ退避（退避位置Ｐ２へ移動）させている。
【００８７】
具体的には、後側の側壁部５ｃに設けられる支持部１６ｅに挿入され上下方向にスライド可能な受圧部材１５は、付勢手段である圧縮コイルばね１４ｂによって上方向に付勢されており、オープナカム１７と当接可能になっている。また、受圧部材１５の端部は、リンク１６ａにより揺動レバー１６ｂの一端に連結されている。
【００８８】
揺動レバー１６ｂは、受圧部材１５との連結点よりも先端側にある軸１６ｄを中心として揺動可能になっており、軸１６ｄを挟んで受圧部材１５との連結点と反対側の端部において、リンク１６ｃを介してレバー３７と連結されている。圧縮コイルばね１４ｂは、舌片部８の先端部分８ａを待機位置Ｐ１に戻す方向に付勢している。インサートレピア１の走行にともなって、レピアヘッド２の走行経路上に設けられたオープナカム１７が受圧部材１５に当接し、受圧部材１５が押圧されると、揺動レバー１６ｂは軸１６ｄを中心として時計回りに揺動し、リンク１６ｃを介してレバー３７を軸１３ｂを中心に上方へ回動させる。これにより、舌片部８（緯糸保持部３）を上方向へ退避（退避位置Ｐ２へ移動）させる。
【００８９】
運動伝達部１６の内部構成について、図９に図示した形態に限らず種々変形しても良い。例えば、受圧部材１５を変位させる方向（押圧する方向）を図９のような上下方向に代えて、水平方向（前後方向）になるようにし、また受圧部材１５の水平方向の運動を上下方向に変換する運動伝達部１６を構成することにより、レバー３７を駆動することも考えられる。
【００９０】
図１０は、本発明が適用されるインサートレピアの他の実施例を示している。図１〜９に示した例では、舌片部８，３８の退避位置Ｐ２は、レピアヘッド２の上方に設定されているが、本実施例では、舌片部４８の退避位置Ｐ２は、レピアヘッド２の基端側に設定されている。つまり、舌片部４８を移動させる方向（退避位置Ｐ２）は、レピアヘッド２の上方向に限らない。この例で、舌片部４８は、インサートレピア１の長手方向に延在するスライドレバー４９の先端に設けられており、スライドレバー４９は、インサートレピア１の長手方向で往復運動可能に支持されている。また、スライドレバー４９の基端側端部には係合ピン４９ｄが設けられ、係合ピン４９ｄはレバー状（略Ｌ字状）の受圧部材４１と係合している。この実施例では、係合ピン４９ｄおよび係合ピン４９ｄと係合する受圧部材４１の枝部４１ａが運動伝達部を構成している。
【００９１】
スライドレバー４９は、付勢手段４２によりレピアヘッド２の先端側へ付勢されており、これにより舌片部４８はその先端部分４８ａを待機位置Ｐ１に戻す方向に付勢されている。また、受圧部材４１は、後側の側壁部５ｃに設けられる回転軸４１ｄを中心として時計回りに付勢され、スライドレバー４９に係合する側とは反対側に形成される受圧部４１ｃがオープナカム１７と当接可能となっている。より詳しくは、フランジ部４９ｂが支持部４９ａに当接することにより、舌片部４８の前進位置（待機位置Ｐ１）を規制している。また、付勢手段として構成される圧縮コイルばね４２が、いくらか圧縮された状態でスライドレバー４９のフランジ部４９ｂと基端側の支持部４９ｃの端面とに当接するように配置されている。インサートレピア１の走行にともなって、レピアヘッド２の走行経路上に設けられたオープナカム１７が受圧部材４１に当接すると、受圧部材４１は回転軸４１ｄを中心として反時計回りに揺動し、係合ピン４９ｄを介してスライドレバー４９、すなわち舌片部４８をレピアヘッド２の基端側の水平方向へ退避（退避位置Ｐ２へ移動）させる。このとき、レピアヘッド２の側方から見て、舌片部４８の先端部分４８ａは、後壁７に重複しない位置まで移動、好ましくは、ヘッドカバー４０の下稜部４０ｇよりも基端側の位置まで移動する。つまり、この実施例では、受圧部材４１の枝部４１ａに設けた係合部４１ｂ、これに係合されるスライドレバー４９の係合ピン４９ｄ、およびスライドレバー４９を支持する２つの支持部４９ａ，４９ｃにより、運動伝達部４６を構成している。この運動伝達部４６では、オープナカム１７の当接に伴う受圧部材４１の揺動運動により、係合部４１ｂと係合ピン４９ｄとの係合点が回動半径方向にスライドし、受圧部材４１の水平方向の変位のみをスライドレバー４９に伝達するスライダークランク機構、言い換えれば、受圧部材４１の揺動運動をスライドレバー４９の往復運動に変換して伝達する機構を構成する。なお、本例では、舌片部４８と、キャッチ片４３ｂとは別部材として構成されており、弾性変形可能なキャッチ４３ｂは、図示しないねじ部材によって固着されていて開閉動作をしない。また、舌片部４８は下稜部を有さず、ヘッドカバー４０の下稜部１０ｇによって緯糸２０を緯糸保持部４３へ案内する。
【００９２】
なお、舌片部８，３８が退避位置Ｐ２へ移動した状態において、緯糸２０を緯糸保持部３，３３へ案内する舌片部８，３８およびヘッドカバー１０の下稜部の構成について、図１〜６、図８，９に示した実施例以外にもいくつか考えられる。図１〜６、図８，９に示した実施例では、インサートレピア１の側方より見て、舌片部８，３８の下稜部８ｃ，３８ｃ，およびヘッドカバー１０の下稜部１０ｇが連続するように設けられていて、緯糸２０は、舌片部８，３８の下稜部８ｃ，３８ｃとヘッドカバー１０の下稜部１０ｇに順次接触しながら緯糸保持部３，３３へ導かれるものである。しかし以下の図１１から図１３に示す実施例のように、ヘッドカバー１０とは異なる部材に緯糸２０の緯糸保持部３、３３への案内機能を持たせるようにしても良い。
【００９３】
具体的には、図１１に示す実施例では、図３〜６に示した上下方向および長手方向に延びる舌状の舌片部８に対し、舌片部５８を全体的にさらに先端側に延在させている。これにより、舌片部５８が退避位置Ｐ２へ移動した状態でも、図３〜６に示す例よりも舌片部５８の下稜部５８ｃがヘッドカバー１０の下稜部１０ｇよりも先端側に位置するようにし、舌片部５８の下稜部５８ｃのみに緯糸２０が接触するようにしている。
【００９４】
また、図１２に示す実施例は、図１０に示す実施例に対し、ヘッドカバー６０の上稜部６０ｄに連なる前側の側壁部６０ｃをいくらか基端側および上壁側に縮小することで、ヘッドカバー６０の下稜部６０ｇを底部５から後退させ、また、キャッチ片６３ｂの先端を後壁７の凸部７ｃとヘッドカバー６０の頂部６０ｄとの間の位置まで先端方向および上方向にさらに延在させている。これにより、キャッチ片６３ｂの下稜部６３ｅのみによって緯糸２０を緯糸保持部６３に案内する例である。
【００９５】
これらの実施例に対し、逆に、ヘッドカバー１０，４０，６０の下稜部にのみ緯糸２０を接触させることよって、緯糸２０を緯糸保持部３まで案内するようにしても良い。例えば、図１０に示した実施例では、ヘッドカバー４０の上稜部４０ｄに連なる前側の側壁４０ｃを、頂部４０ｅから基端側の領域でいくらか下方に延ばし、ヘッドカバー４０の下稜部４０ｇを緯糸保持部４３のくさび状の隙間４３ｃの近傍に設けている。これにより、緯糸２０をヘッドカバー４０の下稜部４０ｇのみに接触するようにしている。
【００９６】
舌片部８，３８，４８，５８，６８について、図１から図１２の実施例では、キャッチ片３ｂ，５３ｂの側部に設ける、あるいはキャッチ片３３ｂ，４３ｂ，６３ｂとは別部材に設ける例を示したが、ヘッドカバー１０，４０，６０側に設けるようにしてもよい。図１３に示す実施例では、ヘッドカバー７０を舌片部７８としての先端部材７０ｆと、基部部材７０ｊの２つの部材で構成している。先端部材７０ｆは、基部部材７０ｊの前側の側壁７０ｃに形成される図示しないガイド孔に挿入されて基部部材７０ｊに支承されるとともに、先端部材７０ｆは、上記実施例と同様、図示しない運動伝達部に連結されている。先端部材７０ｆは、運動伝達部からの往復駆動を受け、前記ガイド孔に案内されて、待機位置Ｐ１から退避位置Ｐ２へ移動可能に設けられる。先端部材７０ｆは、上方に移動して緯糸通路１１を開放する。なお、この実施例でもキャッチ片７３ｂの下稜部７３ｅのみによって緯糸２０を案内する。また、ヘッドカバー７０の先端部材７０ｆの上稜部７８ｂが舌片部７８の役割を担うが、上稜部７８ｂを構成する上壁または側壁のいずれか一方のみとして舌片部７８を構成することも考えられる。
【００９７】
また、舌片部８，３８，５８の下稜部８ｃ，３８ｃ，５８ｃの形状について、これまで具体的に触れていないが、以下この観点で好ましい例を具体的に詳説する。図１４は、図１〜６で示した実施例の舌片部８である。舌片部８の下側形状は、インサートレピア１の側方より見て、舌片部８の頂部８ｄから舌片部８の下稜部８ｃを経てキャッチ片３ｂの下向き面３ｍに連続している。そして、この舌片部８の下稜部８ｃは、舌片部８の頂部８ｄから基端側に一定区間存在する区間Ｓ２と、区間Ｓ２に連続する区間Ｓ３とから構成されている。区間Ｓ２には、頂部８ｄから基端側に一定区間下降量を抑えられた退避部８ｅが形成されている。また、区間Ｓ３は、退避部８ｅに連続し、下降しつつキャッチ片３ｂの下向き面３ｍに連続する導入部８ｆが形成されている。これにより、舌片部８が退避位置Ｐ２へ移動した状態（図５に示す状態）において、例えば下稜部８ｃに退避部８ｅがなく舌片部の頂部８ｄから連続的に下降する下稜部と比較して、頂部８ｄ近傍に当接した際の反発によって緯糸２０が緯糸通路１１から外れることを防止できる。しかも、退避位置Ｐ２にある舌片部８の下稜部８ｃと後壁７との間の空間である緯糸通路１１を広くすることによって、緯糸２０を確実に緯糸保持部３に案内可能となる。なお、退避部８ｅの形状について、図１４に示した例のように頂部８ｄからほぼ直線的に延在するものに限らず、上に凸あるいは下降量を抑えた下に凸の曲線を描くように設けても良い。また、退避部８ｅの長さとして、その上限は舌片部８の全体的な形状の制約を受けるが、具体的な区間Ｓ２の長さとしては０．５ｍｍ以上であればよい。また、導入部８ｆについて、図５に示したように、ヘッドカバー１０の下稜部１０ｇによって案内される領域に至るまで連続する曲線状に設けてもよいし、図１１のように、キャッチ片３ｂの下向き面３ｍに向けて直線状に設けてもよい。
【００９８】
また、緯糸保持部３，３３，４３，５３，６３，７３を構成するキャッチベース３ａのベース面（上面）３ｈ、ならびにキャッチ片３ｂ，３３ｂ，４３ｂ，５３ｂ，６３ｂ，７３ｂの下向き面３ｍ，３３ｍ，４３ｍ，５３ｍ，６３ｍ，７３ｍ（対向面）の形態について、双方とも平滑面にするもの以外にいくつかあり、後述するいずれも本願に含まれる。代表例として、緯糸保持部３について以下詳説するが、緯糸保持部３３等についても同様である。図１５（ａ）ないし（ｃ）は、キャッチベース３ａのベース面３ｈ、キャッチ片３ｂの下向き面３ｍ（対向面）を長手方向と直交する垂直面で切った緯糸保持部３の断面図であり、それら部材の断面形状とその組合せの例を示している。ここで図１５（ａ）は、キャッチベース３ａのベース面３ｈ、キャッチ片３ｂの下向き面３ｍのいずれもが平滑面の例である。図１５（ｂ）は、キャッチベース３ａのベース面３ｈのみに複数のＶ字溝を設けた例であるが、これに代えてキャッチ片３ｂの下向き面３ｍのみに設けてもよい。また、図１５（ｃ）は、キャッチベース３ａのベース面３ｈ、キャッチ片３ｂの下向き面３ｍのいずれにも複数のＶ字溝を設け、それらが噛み合うようにした例である。例えば、図１５（ｃ）について、互いのＶ字状の稜部が対向するように設けることも考えられる。このような平滑面あるいは複数のＶ字溝によって形成される三角波状の端面のいずれも緯糸を把持する際の緯糸保持面として機能し、このような面は、少なくともくさび状の隙間３ｃを形成する領域に設けられる。なお、キャッチベース３ａのベース面３ｈ、キャッチ片３ｂの下向き面３ｍの長手方向全面に連続的に形成することもできる。また溝の形状についても、Ｖ字状に限らず、矩形波状、鋸刃状、Ｕ字状、波状等も考えられる。
【００９９】
また、上記実施例では、緯糸保持部３を構成するキャッチベース３ａおよびキャッチ片３ｂの対向面の一方または双方に複数の溝を設ける例だが、これに代えて、一方に溝を一つに設け、他方がその溝に嵌り合う凸部を形成して緯糸保持部３を構成してもよい。キャッチベース３ａのベース面３ｈ、キャッチ片３ｂの下向き面３ｍの少なくともいずれか一方に溝を付ければ、緯糸を噛み込むことができ、緯糸保持部３の緯糸保持力を高めることができる。
【０１００】
さらに、舌片部８の駆動について、前述したレピアヘッド２の走行経路上に設けたオープナカム１７による開閉駆動に限らない。例えば、レピアヘッド２に組み込まれた駆動用の電動アクチュエータに給電することにより開閉駆動してもよい。また、他の例としては、電動アクチュエータによってオープナカム１７の位置を制御する駆動装置を織機フレーム側に設けることで駆動することも考えられる。電動アクチュエータによって駆動する場合、さらに好適には、織機の緯糸選択信号を利用して、インサートレピア１の緯糸導入が難しい緯糸選択時のみ、舌片部８を移動駆動するように構成しても良い。これにより、舌片部８を運動させるレバー等の運動伝達部の運動回数が少なくて済む分、それらを支持する支軸部の摩耗が少なくなるから、インサートレピア１の寿命がより長命になる。
【０１０１】
また、前述した例では、下側に突出したオープナカム１７に、上方向に突出した受圧部１２等を当接させているが、各々を側方に突出させて当接させるように構成しても良い。
【符号の説明】
【０１０２】
１    インサートレピア
２    レピアヘッド
３    緯糸保持部
３ａ  キャッチベース
３ｂ  キャッチ片
３ｃ  くさび状の隙間
３ｅ  キャッチ片の下稜部
３ｈ  ベース面
３ｍ  下向き面
４    先端部
４ａ  上側案内部
４ｂ  下側案内部
５    底部
５ａ  十字溝
５ｃ  壁部
５ｄ  壁部
５ｅ  基端部
６    前壁
６ａ  前壁の頂部
６ｂ  前壁の上稜部
６ｆ  隙間
７    後壁
７ａ  後壁の頂部
７ｂ  後壁の上稜部
７ｃ  凸部
７ｄ  緯糸当接部
７ｆ  隙間
８    舌片部
８ａ  舌片部の先端部分
８ｂ  先端部分の上稜部
８ｃ  舌片部の下稜部
８ｄ  舌片部の頂部
８ｅ  退避部
８ｆ  導入部
８ｈ  変曲点
９    緯糸ストッパ
９ａ  前側ストッパ
９ｂ  後側ストッパ
９ｃ  係止片
９ｄ  プレート
９ｅ  ねじ
９ｆ  ねじ
１０    ヘッドカバー
１０ａ  上壁部
１０ｂ  後側の側壁部
１０ｃ  前側の側壁部
１０ｄ  上稜部
１０ｅ  頂部
１０ｆ  緯糸ガイド
１０ｇ  下稜部
１１    緯糸通路
１２    受圧部
１３    レバー
１３ａ  ブッシュ
１３ｂ  ピン
１３ｃ  支軸部材
１４    付勢手段
１４ａ  スプリングホルダ
１４ｂ  圧縮コイルばね
１５    受圧部
１６    運動伝達部
１６ａ  リンク
１６ｂ  揺動レバー
１６ｃ  リンク
１６ｄ  軸
１６ｅ  支持部
１７    オープナカム
１７ａ  リフト面
２０    緯糸
２１    経糸
２２    織布
２３    緯糸選択レバー
２４    レピアバンド
２５    取付治具
２６    ヘッドチップ
３３    緯糸保持部
３３ｂ  キャッチ片
３３ｃ  くさび状の隙間
３３ｍ  下向き面
３５    レバー
３６    受圧部
３７    レバー
３７ｂ  軸
３８    舌片部
３８ａ  舌片部の先端部分
３８ｂ  先端部分の上稜部
３８ｃ  舌片部の下稜部
３８ｄ  舌片部の頂部
３９    レバー
４０    ヘッドカバー
４０ａ  上壁部
４０ｂ  後側の側壁部
４０ｃ  前側の側壁部
４０ｄ  上稜部
４０ｅ  頂部
４０ｆ  緯糸ガイド
４０ｇ  下稜部
４１    受圧部材
４１ａ  枝部
４１ｂ  係合部
４１ｃ  受圧部
４１ｄ  回転軸
４２    付勢手段
４３    緯糸保持部
４３ｂ  キャッチ片
４３ｃ  くさび状の隙間
４３ｍ  下向き案内面
４６    運動伝達部
４８    舌片部
４８ａ  舌片部の先端部分
４８ｂ  舌片部の上稜部
４８ｄ  舌片部の頂部
４９    スライドレバー
４９ａ  支持部
４９ｂ  フランジ部
４９ｂ  支持部
４９ｄ  係合ピン
５３    緯糸保持部
５３ｂ  キャッチ片
５３ｅ  キャッチ片の下稜部
５３ｍ  下向き案内面
５８    舌片部
５８ａ  舌片部の先端部分
５８ｂ  舌片部の上稜部
５８ｃ  舌片部の下稜部
５８ｄ  舌片部の頂部
６０    ヘッドカバー
６０ａ  上壁部
６０ｂ  後側の側壁部
６０ｃ  前側の側壁部
６０ｄ  上稜部
６０ｅ  頂部
６０ｆ  緯糸ガイド
６０ｇ  下稜部
６３    緯糸保持部
６３ｂ  キャッチ片
６３ｃ  くさび状の隙間
６３ｅ  キャッチ片の下稜部
６３ｍ  下向き案内面
６８    舌片部
６８ａ  舌片部の先端部分
６８ｂ  舌片部の上稜部
６８ｄ  舌片部の頂部
７０    ヘッドカバー
７０ａ  上壁部
７０ｆ  先端部材
７０ｊ  基端部材
７３    緯糸保持部
７３ｂ  キャッチ片
７３ｅ  キャッチ片の下稜部
７３ｍ  下向き案内面
７８    舌片部
７８ａ  先端部分
７８ｂ  上稜部
７８ｄ  頂部
８０    ヘッドカバー
８１    インサートレピア
８２    レピアヘッド
８３    緯糸保持部
８３ａ  キャッチベース
８３ｂ  キャッチ片
８３ｃ  くさび状の隙間
８３ｅ  対向面
８３ｆ  対向面
８４    先端部
８４ａ  上側案内部
８４ｂ  下側案内部
８５    底部
８６    前壁
８６ａ  前壁の頂部
８６ｂ  前壁の上稜部
８７    後壁
８７ａ  後壁の頂部
８７ｂ  後壁の上稜部
８８    舌片部
８８ｂ  舌片部の上稜部
８８ｄ  舌片部の頂部
８９    隙間
Ｐ１    待機位置
Ｐ２    退避位置
【図１】
2010189781.tif 000003
【図２】
2010189781.tif 000004
【図３】
2010189781.tif 000005
【図４】
2010189781.tif 000006
【図５】
2010189781.tif 000007
【図６】
2010189781.tif 000008
【図７】
2010189781.tif 000009
【図８】
2010189781.tif 000010
【図９】
2010189781.tif 000011
【図１０】
2010189781.tif 000012
【図１１】
2010189781.tif 000013
【図１２】
2010189781.tif 000014
【図１３】
2010189781.tif 000015
【図１４】
2010189781.tif 000016
【図１５】
2010189781.tif 000017
【図１６】
2010189781.tif 000018
【図１７】
2010189781.tif 000019
【図１８】
2010189781.tif 000020
【図１９】
2010189781.tif 000021
【図２０】
2010189781.tif 000022
【図２１】
2010189781.tif 000023
【図２２】
2010189781.tif 000024